(57)【特許請求の範囲】
【請求項１】
雄スナップボタン（２２０）のポスト（１０５）が係脱可能である雌スナップボタン（２１０）であって、
前記ポスト（１０５）が挿通される開口（Ｐ４０、Ｐ７０）を少なくとも部分的に定める第１部材（４０、７０）にして、前記開口（Ｐ４０、Ｐ７０）が、前記ポスト（１０５）の挿通に応じて拡大し、その後、拡大した開口幅から初期の開口幅へ復帰可能である、第１部材（４０、７０）と、
当該雌スナップボタン（２１０）に対する前記ポスト（１０５）の係脱に要する力の増大若しくは前記係脱の禁止を図るべく前記開口（Ｐ４０、Ｐ７０）の拡大を制限可能である第２部材（１０、５０、６０、９１）と、を備え、
前記第２部材（１０、５０、６０、９１）が、前記第１部材（４０、７０）に接触可能である少なくとも１つの接触部（１０ｍ、５０ｍ、６０ｍ、９１ｍ）を有し、
前記第１部材（４０、７０）が、前記接触部（１０ｍ、５０ｍ、６０ｍ、９１ｍ）により接触され得る少なくとも１つの被接触部（４０ｍ、７０ｍ）を有し、
前記開口（Ｐ４０、Ｐ７０）への前記ポスト（１０５）の挿入方向周りの周方向における前記接触部（１０ｍ、５０ｍ、６０ｍ、９１ｍ）と前記被接触部（４０ｍ、７０ｍ）の相対位置に応じて前記第２部材（１０、５０、６０、９１）により許容される前記開口（Ｐ４０、Ｐ７０）の拡大の程度が異なり、
前記第１部材（４０、７０）及び前記第２部材（１０、５０、６０、９１）の一方が他方に対して回動可能であり、当該回動に応じて前記第２部材（１０、５０、６０、９１）により許容される前記開口（Ｐ４０、Ｐ７０）の拡大の程度が調整可能である、雌スナップボタン。
【請求項２】
前記第１部材（４０、７０）自体の弾性、又は第１部材（４０、７０）に対して直接又は間接的に作用する少なくとも１つの弾性部材（４７、４８、４９ｐ、４９ｑ）の弾性に基づいて、前記開口（Ｐ４０、Ｐ７０）が前記拡大した開口幅から前記初期の開口幅へ復帰可能である、請求項１に記載の雌スナップボタン。
【請求項３】
前記少なくとも１つの弾性部材（４７、４８、４９ｐ、４９ｑ）の弾性に基づいて、前記開口（Ｐ４０、Ｐ７０）が前記拡大した開口幅から前記初期の開口幅へ復帰可能である請求項２に記載の雌スナップボタン（２１０）であって、
前記第１部材（４０）が環状に構成され、かつ当該環状の第１部材（４０）の２分割により生じる第１及び第２Ｕ字部（４５ｐ、４５ｑ）を含み、
前記少なくとも１つの弾性部材（４７、４８、４９ｐ、４９ｑ）が、前記第１及び第２Ｕ字部（４５ｐ、４５ｑ）間を連結する板バネ（４７、４８）、又は前記第１及び第２Ｕ字部（４５ｐ、４５ｑ）の一方を他方側へ付勢する板バネ（４９ｐ、４９ｑ）である、雄スナップボタン。
【請求項４】
前記第１部材（４０、７０）自体の弾性に基づいて、前記開口（Ｐ４０、Ｐ７０）が前記拡大した開口幅から前記初期の開口幅へ復帰可能である請求項２に記載の雌スナップボタン（２１０）であって、
前記第１部材（４０、７０）の前記被接触部（４０ｍ、７０ｍ）が前記第２部材（１０、５０、６０、９１）側へ突出する突出部である、雌スナップボタン。
【請求項５】
前記突出部の突出量が前記周方向において段階的に変化する、請求項４に記載の雌スナップボタン。
【請求項６】
前記第２部材（１０、５０、６０、９１）の前記接触部（１０ｍ、５０ｍ、６０ｍ、９１ｍ）が前記第１部材（４０、７０）側へ突出した突出部である、請求項１乃至５のいずれか一項に記載の雌スナップボタン。
【請求項７】
前記第２部材（５０）が、前記第１部材（４０）上に回転可能に配置され、
前記第２部材（５０）の前記接触部（５０ｍ）が、前記第１部材（４０）及び第２部材（５０）の積層方向において前記第２部材（５０）から前記第１部材（４０）側へ突出した接触片（５７）である、請求項１乃至６のいずれか一項に記載の雌スナップボタン。
【請求項８】
前記第１部材（４０）上に配置され、かつ前記第１部材（４０）に対して回転力を伝達する回転体（５０）を更に備える、請求項１乃至６のいずれか一項に記載の雌スナップボタン。
【請求項９】
請求項１乃至８のいずれか一項に記載の雌スナップボタン（２１０）と、
前記雌スナップボタン（２１０）の前記第１部材（４０、７０）の前記開口（Ｐ４０、Ｐ７０）に挿通される前記ポスト（１０５）を備える雄スナップボタン（２２０）と、
を具備するスナップボタン。
【請求項１０】
雄スナップ（２２０）のポスト（１０５）の挿入方向に対して直交する変形方向における自身の変形により前記ポスト（１０５）の挿入を許容し、かつ係合する第１部材（４０、７０）と、
前記変形方向における前記第１部材（４０、７０）の前記変形を制限可能である第２部材（１０、５０、６０、９１）と、を備え、
前記第２部材（１０、５０、６０、９１）が、前記第１部材（４０、７０）に接触可能である少なくとも１つの接触部（１０ｍ、５０ｍ、６０ｍ、９１ｍ）を有し、
前記第１部材（４０、７０）が、前記接触部（１０ｍ、５０ｍ、６０ｍ、９１ｍ）により接触され得る少なくとも１つの被接触部（４０ｍ、７０ｍ）を有し、
前記挿入方向を中心に周囲する方向である周方向における前記接触部（１０ｍ、５０ｍ、６０ｍ、９１ｍ）と前記被接触部（４０ｍ、７０ｍ）の相対位置に応じて前記第２部材（１０、５０、６０、９１）により許容される前記第１部材（４０、７０）の変形の程度が変化し、
前記第１部材（４０、７０）及び前記第２部材（１０、５０、６０、９１）の一方が他方に対して回動可能であり、当該回動に応じて前記第２部材（１０、５０、６０、９１）により許容される前記第１部材（４０、７０）の変形の程度が調整可能である、雌スナップボタン。
【請求項１１】
前記第１部材（４０、７０）自体の弾性、又は第１部材（４０、７０）に対して直接又は間接的に作用する少なくとも１つの弾性部材（４７、４８、４９ｐ、４９ｑ）の弾性に基づいて、変形した前記第１部材が元形状に復帰可能である、請求項１０に記載の雌スナップボタン。
【請求項１２】
第１部材（４０、７０）に対して直接又は間接的に作用する少なくとも１つの弾性部材（４７、４８、４９ｐ、４９ｑ）の弾性に基づいて、変形した前記第１部材が元形状に復帰可能である請求項１１に記載の雌スナップボタンであって、
前記第１部材（４０）が環状に構成され、かつ当該環状の第１部材（４０）の２分割により生じる第１及び第２Ｕ字部（４５ｐ、４５ｑ）を含み、
前記少なくとも１つの弾性部材（４７、４８、４９ｐ、４９ｑ）が、前記第１及び第２Ｕ字部（４５ｐ、４５ｑ）間を連結する板バネ（４７、４８）、又は前記第１及び第２Ｕ字部（４５ｐ、４５ｑ）の一方を他方側へ付勢する板バネ（４９ｐ、４９ｑ）である、雌スナップボタン。
【請求項１３】
前記第１部材（４０、７０）自体の弾性に基づいて、変形した前記第１部材が元形状に復帰可能である請求項１１に記載の雌スナップボタンであって、
前記第１部材（４０、７０）の前記被接触部（４０ｍ、７０ｍ）が前記第２部材（１０、５０、６０、９１）側へ突出する突出部である、雌スナップボタン。
【請求項１４】
前記第１部材（４０）上に配置され、かつ前記第１部材（４０）に対して回転力を伝達する回転体（５０）を更に備える、請求項１０乃至１３のいずれか一項に記載の雌スナップボタン。
【請求項１５】
前記第１部材（４０、７０）及び第２部材（１０、５０、６０、９１）の少なくとも一方が、予め設定された角度範囲内で回転可能である、請求項１０乃至１４のいずれか一項に記載の雌スナップボタン。
【発明の詳細な説明】
【技術分野】
【０００１】
本発明は、雌スナップボタン及びスナップボタンに関する。
【背景技術】
【０００２】
特許文献１には、ロック機能を具備する止め具が開示されている。具体的には、同文献の図１に示すように、雌フック１は、バネ部材１２により上方へ付勢された状態のストッパー５、同文献の図２に示す形状の係止部材６、及び係止部材６の係止部１７に装着された弾性リング１０を有する。同文献の図６（ａ）（ｂ）は、雄フック２が雌フック１へスナップ・インする過程を示す。雌フック１から雄フック２を離脱させるとき、同図６（ｄ）に示すように、鍵棒２２でストッパー５を押し下げる。これにより、係止部材６の係止部１７が外方向へ自由に広がることができ、雌フック１からの雄フック２の離脱を図ることができる。【０００３】
特許文献２には、固定部７と嵌合凸部９が弾性を有する剛性樹脂で一体成形された構成がハウジング１５内に収容されたメス体５が開示されている。オス体３の圧入時には、嵌合凸部９が圧入方向により一層撓むと共に、固定部５がハウジング体１５の周側筒２０側に拡開し、オス体の圧入の容易性が確保される、と説明されている。【０００４】
特許文献３には、基板２の外周部から立ち上がった周壁３に環状溝５を設け、内側の周壁部分３ａが半径方向外方へ弾性変形した際、その上端だけが外側の周壁部分３ｂに当接して、それ以上の弾性変形が阻止された構成の雌型部材が開示されている。同文献の図１に示すように、内側周壁部分３ａの内側面には膨出部７が周方向にほぼ連続して設けられており、雄型部材の突起部に対する十分な嵌合が確保される。【０００５】
特許文献４には、同文献の図３等に示すように、外山９と内山１０を有する波型輪状の係止用ばね７を収容部６内に設け、切目８を内山１０の頂点１０Ａ以外に部位に設けた雌部材が開示されている。
【先行技術文献】
【特許文献】
【０００６】
【特許文献１】特許第４６５９６７１号公報
【特許文献２】実開昭６１−１７０３０４号公報
【特許文献３】特開２００３−３１０３１０号公報
【特許文献４】特開昭５９−２２０８号公報
【発明の概要】
【発明が解決しようとする課題】
【０００７】
特許文献１によれば、雌フック１と雄フック２との間のロックを解除するために、ストッパー５を上下方向（雄フック１の装着方向）に動かすことが要求され、これに応じて構成が複雑化してしまうおそれがあり、また、雌フック１の厚みの増加を招来してしまうおそれがある。【０００８】
簡素な構成にて雌スナップの係合力を調整することが求められている。
【課題を解決するための手段】
【０００９】
本発明に係る雌スナップボタンは、雄スナップボタンのポストが係脱可能である雌スナップボタンであって、前記ポストが挿通される開口を少なくとも部分的に確定する第１部材にして、前記開口が、前記ポストの挿通に応じて拡大し、その後、拡大した開口幅から初期の開口幅へ復帰可能である、第１部材と、当該雌スナップボタンに対する前記ポストの係脱に要する力の増大若しくは前記係脱の禁止を図るべく前記開口の拡大を制限可能である第２部材と、を備え、前記第２部材が、前記第１部材に接触可能である少なくとも１つの接触部を有し、前記第１部材が、前記接触部により接触され得る少なくとも１つの被接触部を有し、前記開口への前記ポストの挿入方向周りの周方向における前記接触部と前記被接触部の相対位置に応じて前記第２部材により許容される前記開口の拡大の程度が異なる。【００１０】
前記第１部材及び前記第２部材の一方が他方に対して回動可能であり、当該回動に応じて前記第２部材により許容される前記開口の拡大の程度が調整可能である、と良い。【００１１】
前記第１部材自体の弾性、又は第１部材に対して直接又は間接的に作用する少なくとも１つの弾性部材の弾性に基づいて、前記開口が前記拡大した開口幅から前記初期の開口幅へ復帰可能である、と良い。【００１２】
前記少なくとも１つの弾性部材の弾性に基づいて、前記開口が前記拡大した開口幅から前記初期の開口幅へ復帰可能である場合において、前記第１部材が環状に構成され、かつ当該環状の第１部材の２分割により生じる第１及び第２Ｕ字部を含み、前記少なくとも１つの弾性部材が、前記第１及び第２Ｕ字部間を連結する板バネ、又は前記第１及び第２Ｕ字部の一方を他方側へ付勢する板バネである、と良い。【００１３】
前記第１部材自体の弾性に基づいて、前記開口が前記拡大した開口幅から前記初期の開口幅へ復帰可能である場合において、前記第１部材の前記被接触部が前記第２部材側へ突出する突出部である、と良い。【００１４】
前記突出部の突出量が前記周方向において段階的に変化する、と良い。【００１５】
前記第２部材の前記接触部が前記第１部材側へ突出した突出部である、と良い。【００１６】
前記第２部材が、前記第１部材上に回転可能に配置され、前記第２部材の前記接触部が、前記第１部材及び第２部材の積層方向において前記第２部材から前記第１部材側へ突出した接触片である、と良い。【００１７】
前記第１部材上に配置され、かつ前記第１部材に対して回転力を伝達する回転体を更に備える、と良い。【００１８】
本発明に係るスナップボタンは、上記いずれかに記載の雌スナップボタンと、前記雌スナップボタンの前記第１部材の前記開口に挿通される前記ポストを備える雄スナップボタンと、を具備する。【００１９】
本発明に係る雌スナップボタンは、雄スナップのポストの挿入方向に対して直交する変形方向における自身の変形により前記ポストの挿入を許容し、かつ係合する第１部材と、前記変形方向における前記第１部材の前記変形を制限可能である第２部材と、を備え、前記第２部材が、前記第１部材に接触可能である少なくとも１つの接触部を有し、前記第１部材が、前記接触部により接触され得る少なくとも１つの被接触部を有し、前記挿入方向を中心に周囲する方向である周方向における前記接触部と前記被接触部の相対位置に応じて前記第２部材により許容される前記第１部材の変形の程度が変化する。【００２０】
前記第１部材及び前記第２部材の一方が他方に対して回動可能であり、当該回動に応じて前記第２部材により許容される前記第１部材の変形の程度が調整可能である、と良い。【００２１】
前記第１部材自体の弾性、又は第１部材に対して直接又は間接的に作用する少なくとも１つの弾性部材の弾性に基づいて、変形した前記第１部材が元形状に復帰可能である、と良い。【００２２】
第１部材に対して直接又は間接的に作用する少なくとも１つの弾性部材の弾性に基づいて、変形した前記第１部材が元形状に復帰可能である場合において、前記第１部材が環状に構成され、かつ当該環状の第１部材の２分割により生じる第１及び第２Ｕ字部を含み、前記少なくとも１つの弾性部材が、前記第１及び第２Ｕ字部間を連結する板バネ、又は前記第１及び第２Ｕ字部の一方を他方側へ付勢する板バネである、と良い。【００２３】
前記第１部材自体の弾性に基づいて、変形した前記第１部材が元形状に復帰可能である場合において、前記第１部材の前記被接触部が前記第２部材側へ突出する突出部である、と良い。【００２４】
前記第１部材上に配置され、かつ前記第１部材に対して回転力を伝達する回転体を更に備える、と良い。【００２５】
前記第１部材及び第２部材の少なくとも一方が、予め設定された角度範囲内で回転可能である、と良い。
【発明の効果】
【００２６】
本発明によれば、簡素な構成にて雌スナップの係合力を調整することが可能になる。
【図面の簡単な説明】
【００２７】
【図１】本発明の第１実施形態に係るスナップボタンの概略的な断面図である。
【図２】本発明の第１実施形態に係る雌スナップの概略的な上面図及び断面図である。
【図３】本発明の第１実施形態に係る組立前の雌スナップの概略的な分解断面図である。
【図４】本発明の第１実施形態に係る雄スナップの概略的な上面図及び断面図である。
【図５】図６に示す一点破線Ｘ５−Ｘ５における雌スナップの概略的な水平断面図であり、回転角度範囲の規制構造を示す。
【図６】図５に示す一点鎖線Ｘ６−Ｘ６における雌スナップの概略的な部分断面図である。
【図７】図１の一点鎖線Ｘ７−Ｘ７における弱スナップ状態の雌スナップの概略的な水平断面図である。
【図８】図１の一点鎖線Ｘ７−Ｘ７における強スナップ状態の雌スナップの概略的な水平断面図である。
【図９】本発明の第１実施形態に係る雄及び雌スナップの嵌め合わせ過程を示す概略的な断面図である。
【図１０】本発明の第１実施形態に係る雄及び雌スナップの嵌め合わせ過程を示す概略的な部分拡大断面図である。
【図１１】本発明の第１実施形態に係る強スナップ状態のスナップボタンを示す概略的な断面図である。
【図１２】本発明の第２実施形態に係るリング体の概略的な上面図及び断面図である。
【図１３】本発明の第３実施形態に係る雌スナップの構成及びリング体の回転を示す概略的な水平断面図である。
【図１４】本発明の第４実施形態に係る雌スナップの構成及びリング体の回転を示す概略的な水平断面図である。
【図１５】本発明の第５実施形態に係るスナップボタンの概略的な断面図である。
【図１６】本発明の第５実施形態に係るスナップボタンの概略的な上面図である。
【図１７】図１５の一点鎖線Ｘ１７−Ｘ１７における雌スナップの概略的な水平断面図である。
【図１８】本発明の第５実施形態に係る強スナップ状態のスナップボタンを示す概略的な断面図である。
【図１９】本発明の第５実施形態に係る強スナップ状態のスナップボタンを示す概略的な部分拡大断面図である。
【図２０】本発明の第６実施形態に係るスナップボタンの概略的な上面図及び断面図である。
【図２１】図２０の一点鎖線Ｘ２１−Ｘ２１における雌スナップの概略的な水平断面図であり、回転体の回転を示す。
【図２２】本発明の第７実施形態に係る結合前のスナップボタンの概略的な断面図である。
【図２３】本発明の第７実施形態に係る結合後のスナップボタンの概略的な断面図である。
【図２４】本発明の第７実施形態に係る弱スナップタイプの雌スナップの概略的な上面図である。
【図２５】図２２の一点鎖線Ｘ２５−Ｘ２５における雌スナップの概略的な水平断面図である。
【図２６】本発明の第７実施形態に係る強スナップタイプの雌スナップの概略的な上面図である。
【図２７】本発明の第７実施形態に係る強スナップタイプの雌スナップの概略的な水平断面図である。
【図２８】図２７の一点鎖線Ｘ２８−Ｘ２８における雌スナップの概略的な断面図である。
【図２９】本発明の第８実施形態に係る雌スナップの概略的な断面図である。
【図３０】図２９の一点鎖線Ｘ３０−Ｘ３０における雌スナップの概略的な水平断面図である。
【図３１】図２９の一点鎖線Ｘ３１−Ｘ３１における雌スナップの概略的な断面図である。
【図３２】図３０に示す位置から９０度回転した状態の雌スナップの概略的な水平断面図である。
【図３３】本発明の第９実施形態に係る雌スナップの概略的な上面図及び断面図であり、図３３の紙面上部に上面図を示し、図３３の紙面下部に同図に示した上面図のＸ３３−Ｘ３３に沿う断面図を示す。
【図３４】本発明の第９実施形態に係る雌スナップのリング体の概略的な上面図及び断面図であり、図３４の紙面上部に上面図を示し、図３４の紙面下部に同図に示した上面図のＸ３４−Ｘ３４に沿う断面図を示す。
【図３５】本発明の第９実施形態に係る雌スナップの板バネの概略的な斜視図である。
【図３６】図３３の断面図の一点鎖線Ｘ３６−Ｘ３６における非ロック状態の雌スナップの概略的な水平断面図であり、（ａ）においてＵ字部の合体状態を模式的に示し、（ｂ）においてＵ字部の分離状態を模式的に示す。
【図３７】本発明の第９実施形態に係るスナップボタンの概略的な断面図であり、雌スナップが非ロック状態にある。
【図３８】図３３の断面図の一点鎖線Ｘ３６−Ｘ３６におけるロック状態の雌スナップの概略的な水平断面図である。
【図３９】図３８の一点鎖線Ｘ３９−Ｘ３９におけるロック状態の雌スナップの概略的な垂直断面図である。
【図４０】本発明の第１０実施形態に係る雌スナップの概略的な水平断面図である。
【図４１】本発明の第１０実施形態に係る雌スナップのリング体の概略的な上面図及び断面図であり、図４１の紙面上部に上面図を示し、図４２の紙面下部に同図に示した上面図のＸ４１−Ｘ４１に沿う断面図を示す。
【図４２】本発明の第１０実施形態に係る雌スナップの概略的な水平断面図であり、（ａ）において非ロック状態を示し、（ｂ）においてロック状態を示す。
【図４３】本発明の第１１実施形態に係る雌スナップの概略的な水平断面図であり、（ａ）においてＵ字部の合体状態を模式的に示し、（ｂ）においてＵ字部の分離状態を模式的に示す。
【図４４】本発明の第１１実施形態に係る雌スナップの概略的な水平断面図であり、ロック状態の雌スナップを示す。
【図４５】本発明の第１２実施形態に係る雌スナップに含まれるリング体の概略的な水平断面図であり、各Ｕ字部に対して板バネが一体的に設けられた場合を示す。
【発明を実施するための形態】
【００２８】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、発明説明を主目的とするものであり、適宜、簡略化されている。
【００２９】
説明の便宜上、主要図面に軸ＡＸを図示した。軸ＡＸは、例えば、雌スナップの受入部の深さ方向／雄スナップのポストの延在方向／雄スナップのポストの挿入方向に一致する。軸ＡＸは、後述のリング体と回転体の積層方向にも一致する。説明の便宜上、各形態の説明に際しては、原則的に一貫して軸ＡＸに沿う方向を上下方向として説明し、軸ＡＸに対して直交する方向を半径方向として説明する。半径方向に沿って軸ＡＸに近接する方向を内側と呼び、半径方向に沿って軸ＡＸから離間する方向を外側と呼ぶ。軸ＡＸの周りの方向を周方向と呼ぶ。後述の説明から明らかなように、雄スナップのポストが雌スナップの受入部に挿入されるとき、弾性体（リング体４０、リング回転体７０）が半径方向に一致する方向に変形する。弾性体（リング体４０、リング回転体７０）が変形する方向を変形方向と定義すると、後述の実施形態においては、変形方向が半径方向に一致していることが分かる。
【００３０】
＜第１実施形態＞
図１乃至図１１を参照して第１実施形態について説明する。図１は、スナップボタンの概略的な断面図である。図２は、雌スナップの概略的な上面図及び断面図である。図３は、組立前の雌スナップの概略的な分解断面図である。図４は、雄スナップの概略的な上面図及び断面図である。図５は、図６に示す一点鎖線Ｘ５−Ｘ５における雌スナップの概略的な水平断面図であり、回転角度範囲の規制構造を示す。図６は、図５に示す一点鎖線Ｘ６−Ｘ６における雌スナップの概略的な部分断面図である。図７は、図１の一点鎖線Ｘ７−Ｘ７における弱スナップ状態の雌スナップの概略的な水平断面図である。図８は、図１の一点鎖線Ｘ７−Ｘ７における強スナップ状態の雌スナップの概略的な水平断面図である。図９は、雄及び雌スナップの嵌め合わせ過程を示す概略的な断面図である。図１０は、雄及び雌スナップの嵌め合わせ過程を示す概略的な部分拡大断面図である。図１１は、強スナップ状態のスナップボタンを示す概略的な断面図である。
【００３１】
図１に示すように、スナップボタン２００は、生地２３０に対して固定された雌スナップボタン２１０（以下、単に雌スナップ２１０とも言う）及び雄スナップボタン２２０（以下、単に雄スナップ２２０とも言う）を有する。雌スナップ２１０の受入部Ｐ２１０に対して雄スナップ２２０のポスト１０５を差し込むことにより、ポスト１０５が受入部Ｐ２１０により保持されて雌スナップ２１０と雄スナップ２２０とが上下に連結する。受入部Ｐ２１０からポスト１０５を引き抜くことにより、雌スナップ２１０と雄スナップ２２０が上下に分離する。なお、生地２３０は、例えば、天然繊維、化学繊維（例えば、ポリエステル系又はナイロン系の繊維）等の糸が平面的に織り込まれた織物であるが、これに限らず、不職布、天然／合成皮、フェルト、プラスチック等の樹脂材料からなるシートであっても良い。生地２３０を単にシートと呼ぶこともある。
【００３２】
図１乃至図３に示すように、雌スナップ２１０は、缶体（第２部材）１０、取付体２０、カバー３０、リング体（第１部材、環状部材）４０、及び回転体５０を有する。雌スナップ２１０は、図２に示すように上面視円盤状の部材である。缶体１０、取付体２０、及びカバー３０は、リング体４０及び回転体５０の保持及びこれらの生地への取付を行う枠部材であり、各々、任意の方法により金属等の平板を成形することで製造される。なお、缶体１０、取付体２０、及びカバー３０から成る枠部材は、外周部分において生地２３０を上下から挟みこむと共に、内周部分においてリング体４０及び回転体５０を収容する。リング体４０と回転体５０は、軸ＡＸ周りに一緒に回転可能な態様で積層されており、これらの積層方向は、軸ＡＸに一致する。
【００３３】
回転体５０とリング体４０とは、構造的に嵌め合わされており、軸ＡＸ周りに一緒に回転する。具体的には、図１に示すように、リング体４０は、その上面に係合凸部４０ｙを有し、回転体５０は、その下面に係合凹部５０ｙを有する。係合凸部４０ｙは上方へ延在し、係合凹部５０ｙは上方へ窪んでいる。係合凸部４０ｙと係合凹部５０ｙとが嵌め合うことにより、回転体５０に付与された回転力がリング体４０へと伝達し、回転体５０を介してリング体４０を回転させることができる。リング体４０と回転体５０とを別体とすることにより、両者の各機能に応じて最適な材料を選ぶことができる。しかしながら、この点は、必ずしも必須のものではなく、リング体４０と回転体５０とを一体化しても良い。
【００３４】
雄スナップ２２０のポスト１０５を受け入れる受入部Ｐ２１０は、リング体４０と回転体５０の積層によって、リング体４０の内周側面と回転体５０の凹部Ｐ５６の内面とが連続することにより構成される。受入部Ｐ２１０の受け口（リング体４０の受け口）の最小径Ｗ４０は、ポスト１０５の最大径Ｗ１０５未満である。従って、受入部Ｐ２１０内へのポスト１０５の進入を許容するためには、リング体４０が半径方向外側へ変形し、リング体４０の受け口の径Ｗ４０が拡大することが必要である。そして、受入部Ｐ２１０は、受け口を通った後のポスト１０５を収容可能な大きさを有している。
【００３５】
図１に示すように、缶体１０は、リング体４０及び回転体５０を収容する収容部材であり、取付体２０により生地２３０に対して固定される。リング体４０と回転体５０とが缶体１０により収容された状態で缶体１０が上方からカバー３０により閉じられる。なお、缶体１０、取付体２０、カバー３０は、例示的には、真鍮、銅合金、ステンレス、アルミニウムなど、塑性変形する金属材料から構成される。リング体４０は、任意の程度の弾性を具備し、例示的には、ポリエステル、ポリアミド、ポリウレタン、ポリアセタール、ポリブチレンテレフタレートなどの合成樹脂等の材料から構成される。回転体５０は、所望の強度を有する上記の合成樹脂や、上記の金属等の材料から構成される。
【００３６】
図２を参照して缶体１０、取付体２０、及びカバー３０の詳細構成について説明する。図２の下部分に示すように、缶体１０は、底部１１、筒部１２、及び湾曲部１３を有する。底部１１の中心には開口Ｐ１０が設けられており（図３参照）、底部１１が環状に構成される。底部１１上にはリング体４０が載置される。筒部１２は、底部１１の外周端から軸ＡＸに沿って延在して立ち上がり、リング体４０を周囲する周壁部を成す。湾曲部１３は、自身の先端が筒部１２の外周面を臨むまで筒部１２の先端が半径方向外側及び下方へ湾曲された部分であり、取付体２０に対して係合する係合部である。
【００３７】
取付体２０は、押え部２１、筒部２２、及び湾曲部２３を有する。押え部２１は、筒部２２の下端から半径方向外側へ延在し、生地２３０を下方から押し付ける。筒部２２は、押え部２１の内周端から軸ＡＸに沿って延在して立ち上がり、缶体１０の筒部１２と共にリング体４０を周囲する周壁部を成す。湾曲部２３は、自身の先端が筒部２２の外周面を臨むまで筒部２２の上端が半径方向外側から下方へ湾曲された部分であり、缶体１０に対して係合する係合部である。
【００３８】
例えば、筒部２２の先端を缶体１０の湾曲部１３内に挿入し、湾曲部１３の面から受ける圧力によって湾曲させることにより、湾曲部２３が形成される（図３も併せて参照）。取付体２０の押え部２１にはパンチ孔２４が設けられ、押え部２１には、生地２３０に対して食い込む部分２５が形成される。このように生地２３０に対して取付体２０を食い込ませることにより、生地２３０に対する取付体２０の固定を十分なものとすることができる。
【００３９】
カバー３０は、平板部３１、及び外周側部３２を有する。平板部３１の中心には開口Ｐ３０が設けられており（図３参照）、平板部３１が環状に構成される。平板部３１の開口端は、リング体４０と回転体５０を缶体１０内に閉じ込めるための位置規制部である。外周側部３２は、平板部３１の外周から軸ＡＸに沿って下方へ延在する。外周側部３２の下端部分は、内側へ傾斜するように曲げられている。カバー３０の外周側部３２の下端部分の曲げにより、缶体１０に対してカバー３０が固定され、これと同時に、回転体５０、リング体４０がカバー３０の平板部３１により缶体１０内に閉じ込められる。カバー３０の外周側部３２の下端部分は、生地２３０を上方から押し付ける部分でもあり、これにより、生地２３０は、カバー３０の外周側部３２の下端部分と取付体２０の押え部２１との間で上下から好適に挟み込まれる。
【００４０】
図１及び図２に示すように、リング体４０は、樹脂、金属等の平板部材の中心に開口Ｐ４０が設けられた弾性体である。図２の下部分に示すように、リング体４０の本体部分であるリング本体４２の下面には、環状凸部４３が設けられる。環状凸部４３が缶体１０の開口Ｐ１０内に配置され、これにより、缶体１０とリング体４０間の位置決めが容易になる。リング本体４２の開口Ｐ４０の直径に相当する開口径（開口幅）は拡大可能であり、これにより、受入部Ｐ２１０へのポスト１０５の挿入／受入部Ｐ２１０からのポスト１０５の引き抜きが許容される。なお、本実施形態においては、後述の説明から明らかになるように、雌スナップ２１０は、リング本体４２の開口形状の変形が制限される状態と制限されない状態を持ち、各状態が周方向におけるリング体４０と缶体１０の相対位置に応じて決定される。
【００４１】
図２の下部分に示すように、リング体４０の内周側面４１の下部４１ｐが半径方向内側へ弧状に膨出し、リング体４０の内周側面４１の上部４１ｑが半径方向外側へ弧状に窪んでいる。リング体４０の内周側面４１が波状に構成されることに応じて、リング体４０の内径が上下方向において変動する。端的には、リング体４０の内径が下方から上方へ向かって次第に狭くなり、その後、次第に広くなる。
【００４２】
回転体５０は、上面に凹部Ｐ５５が設けられ、下面に凹部Ｐ５６が設けられた円盤状部材であり、軸ＡＸ周りに受動回転する受動回転部である。回転体５０は、樹脂、金属等の平板部材であり、好適には、リング体４０とは異なる材料から構成される。凹部Ｐ５５は、上面視矩形状であり、マイナスドライバー等の工具が差し込まれる部分である。凹部Ｐ５６は、下面視円形状であってポスト１０５を部分的に受け入れる部分であり、底面５６ｐと内周側面５６ｑとを有する。底面５６ｐは平坦面であり、内周側面５６ｑは、軸ＡＸに沿って延在する面である。内周側面５６ｑは、半径方向内側へ緩慢に傾斜しながら底面５６ｐに接続する。なお、凹部Ｐ５５の上面視形状を「＋」状として、プラスドライバーに合致可能としても良い。
【００４３】
回転体５０の外側肉厚Ｗ５０ａ＜内側肉厚Ｗ５０ｂの関係が成立する。これに応じて回転体５０の上側の外周縁には段差部５２が設けられる。段差部５２は、平坦面を有し、平坦面上にカバー３０の平板部３１の内周端部が配置される。リング体４０と回転体５０の積層体は、カバー３０の平板部３１と缶体１０の底部１１との間で上下から位置規制される。回転体５０の肉厚Ｗ５０ｂの部分は、凹部Ｐ５６により薄肉化され、また、凹部Ｐ５５により更に部分的に薄肉化される。
【００４４】
図１及び図４を参照して雄スナップ２２０の構成について説明する。図１及び図４に示すように、雄スナップ２２０は、雌スナップ２１０の受入部Ｐ２１０に受け入れられて保持されるポスト１０５を有する。図１に示すように、ポスト１０５は、首部１０５ａ及び頭部１０５ｂを有する。頭部１０５ｂは、首部１０５ａよりも幅広に構成されている。頭部１０５ｂの外周側面は、外側へ弧状に隆起しており、これにより、雌スナップ２１０の受入部Ｐ２１０からのポスト１０５の離脱が規制される。なお、雌スナップ２１０の受入部Ｐ２１０へポスト１０５が差し込まれることは、頭部１０５ｂがリング体４０の開口Ｐ４０の開口径を広げることにより許容される。
【００４５】
なお、後述の説明から明らかなように、雌スナップ２１０の受入部Ｐ２１０が雄スナップ２２０のポスト１０５を保持する保持力（以下、単に保持力と呼ぶ場合がある）は、受入部Ｐ２１０を周囲する周方向におけるリング体４０と缶体１０間の相対位置に応じて決定される。これにより、簡素な構成にて上述の保持力を調整することができる。製造時のみならず、製造後に上述の保持力を調整することもでき、広範な分野にて有用性／利便性を高めることができる。
【００４６】
なお、保持力は、雌スナップ２１０と雄スナップとが係合した状態で、それらが互いに離間（離脱）するように力が加わった際に、その係合が外れる力のことであり、ここでは、係合状態を保持する力であるので保持力と言う。そして、この保持力は、係合した状態で使用されるが、係合させようとする状態でももちろん影響する。つまり、保持力が強いと、係合状態を保持する力が強いが、係合させようとするときにおいては、係合させる際の力が、保持力が弱い場合に比べて必要である。このことから、保持力を、雄スナップおよび雌スナップの係合・離脱に必要な力として係合力と言うこともできる。
【００４７】
図１及び図４に示すように、雄スナップ２２０は、任意の方法により形状出しされた板状部材１１０、１２０から構成される。図４の下部分に示すように、板状部材１１０は、ベース１１１、及びポスト内壁部１１２を有する。ベース１１１は、生地２３０を押し付ける部分であり、環状に構成され、軸ＡＸを周囲する。ポスト内壁部１１２は、軸ＡＸに沿って延在しかつ両端が解放した筒状部分である。ポスト内壁部１１２は、生地２３０を貫通する部分である。ポスト内壁部１１２の上端は、外側へ弧状に湾曲されており、この部分が板状部材１２０に係合する。外側へ弧状に湾曲した部分を湾曲部１１３と呼ぶ。
【００４８】
板状部材１２０は、ベース１２１、及びポスト外壁部１２２を有する。ベース１２１は、生地２３０を押し付ける部分であり、環状に構成され、軸ＡＸを囲む。ポスト外壁部１２２は、下端が解放し上端が閉じた部分であり、その上端の外周縁が半径方向外側へ弧状に湾曲し、その部分が板状部材１１０に係合する。半径方向外側へ弧状に湾曲した部分を湾曲部１２３と呼ぶ。ポスト内壁部１１２の湾曲部１１３とポスト外壁部１２２の湾曲部１２３とが係合することにより、板状部材１１０と板状部材１２０が互いに係止される。
【００４９】
生地２３０は、ベース１１１とベース１２１により上下から挟み込まれる。ベース１１１及びベース１２１により生地２３０が挟み込まれた状態で雄スナップ２２０がプレス処理され、ベース１１１に複数の凹部１１５が設けられ、ベース１２１に複数の凸部１２５が設けられる。これにより、生地２３０に雄スナップ２２０を強固に取り付けることができる。なお、図４の上部分に示すように、雄スナップ２２０は、軸ＡＸ周りに対称的に６か所でプレス処理されている。
【００５０】
図５及び図６を参照して回転体５０の回転範囲を規制する構造について説明する。図５は、図６に示す一点鎖線Ｘ５−Ｘ５での回転体５０と缶体１０の断面構成を示し、図６は、図５の一点鎖線Ｘ６−Ｘ６における雌スナップ２１０の断面構成を示す。図５に示すように、回転体５０の外周側面には、周方向の所定範囲に連続した溝部５５が設けられ、溝部５５の周方向の延在範囲が停止端５５ａ、５５ｂにより規定されている。缶体１０の筒部１２には、溝部５５内に配置され、かつ溝部５５の停止端５５ａ、５５ｂの衝突が予定されている停止部１２ｐが設けられている。図５に示すとき、停止端５５ｂが停止部１２ｐに衝突しており、これにより、回転体５０の更なる時計回りの回転が禁止される。回転体５０の反時計周りの回転は、停止端５５ａが停止部１２ｐに衝突することにより禁止される。このように回転体５０の回転範囲を制限することにより、回転体５０が停止する２つの停止位置（回転停止位置）を設定することができ、各停止位置に対応付けて雌スナップ２１０の受入部Ｐ２１０の保持力を調整することができる（この点は、後述の説明からより明らかになる）。
【００５１】
図６に示すように、リング体４０の外周側面にも、回転体５０と同様の溝が設けられている。リング体４０と回転体５０とは一緒に回転するものであるため、回転体５０と同様、リング体４０の回転範囲も制限することが望ましい。なお、停止部１２ｐは、必ずしも缶体１０の筒部１２自体である必要はなく、別の部材であっても良い。リング体４０及び回転体５０の回転範囲を規制する具体的な態様は任意であり、上述のように缶体１０を活用してリング体４０及び回転体５０の回転範囲を制限することの他、カバー３０を活用して回転体５０の回転範囲を制限しても良い。
【００５２】
図７及び図８を参照して周方向におけるリング体４０と缶体１０の相対位置に応じて受入部Ｐ２１０がポスト１０５を保持する力が調整される仕組みについて説明する。図７及び図８は、図１のＸ７−Ｘ７におけるリング体４０、缶体１０、及び取付体２０の水平断面図である。適宜、図９乃至図１１も併せて参照して説明する。
【００５３】
図７に示すように、リング体４０は、互いに異なる直径Ｒ４０、Ｒ４１を有し、直径Ｒ４０＞直径Ｒ４１を満足する。直径Ｒ４０に対応する部分を被接触部（実施形態の説明では、被押圧部と呼ぶ）４０ｍと呼ぶ。被押圧部４０ｍは、図７に示すように、半径方向外側に突出した突出部４０ｍ１、４０ｍ２である。突出部４０ｍ１、４０ｍ２は、周方向において１８０度間隔で設けられ、かつ互いに逆側へ突出している。
【００５４】
図７に示すように、缶体１０は、互いに異なる内径Ｒ１０、Ｒ１１を有し、内径Ｒ１０＜直径Ｒ１１を満足する。内径Ｒ１０に対応する部分を接触部（実施形態の説明では、押圧部と呼ぶ）１０ｍと呼ぶ。押圧部１０ｍは、図７に示すように、半径方向内側に突出部１０ｍ１、１０ｍ２である。突出部１０ｍ１、１０ｍ２は、筒部１２が半径方向内側へ凹み、同方向に突出した部分である。突出部１０ｍ１、１０ｍ２は、周方向において１８０度間隔で設けられている。
【００５５】
図７に示すとき、リング体４０の被押圧部４０ｍと缶体１０の押圧部１０ｍとが対面していなく、リング体４０の半径方向外側への変形が制限されていない。この状態を、便宜上、「弱スナップ状態」と呼ぶ。他方、図８に示すとき、リング体４０の被押圧部４０ｍと缶体１０の押圧部１０ｍとが対面しており、リング体４０の半径方向外側への変形が制限されている。この状態を、便宜上、「強スナップ状態」と呼ぶ。「強スナップ状態」は「弱スナップ状態」に比べて差し込み、または抜き出すことが容易でない状態である。図７と図８に示す各状態は、例えば、回転体５０の時計周りの停止位置と回転体５０の反時計周りの停止位置とに対応する（図５及びこれに関する説明を参照）。つまり、雌スナップ２１０にポスト１０５が係合する際、開口Ｐ４０の直径がポスト１０５の頭部１０５ｂの直径より小さいため、開口Ｐ４０の直径を拡大するようにポスト１０５がリング体４０を弾性変形させる。頭部１０５ｂが開口Ｐ４０を通った後、リング体４０が弾性復帰して開口Ｐ４０が元の直径に戻り、首部１０５ａに係合する。なお、首部１０５ａの直径は、頭部１０５ｂの直径より小さく、かつ開口Ｐ４０の最小直径よりも小さい、と良い。「強スナップ状態」では、開口Ｐ４０の直径が拡大することが抑制されるため、頭部１０５ｂが開口Ｐ４０を通ることが「弱スナップ状態」に比べて困難となる。
【００５６】
なお、リング体４０の被押圧部４０ｍと缶体１０の押圧部１０ｍとが対面しているとき、被押圧部４０ｍと押圧部１０ｍとを接触させるか否かは任意である。なお、両者を接触させる場合、リング体４０の開口形状を、例えば正円から楕円形へと変形させることができ、楕円形の短軸の長さ寸法は、正円の直径より小さいため、より強い保持力を確保することができる。保持力が強い場合、雌スナップ２１０からの雄スナップ２２０の離脱が付加的に規制される。保持力が弱い場合、雌スナップ２１０からの雄スナップ２２０の離脱が付加的に規制されない。弱スナップ状態を非ロック状態と呼び、強スナップ状態をロック状態と呼んでも良いことは当業者には自明である。
【００５７】
図７に例示される「弱スナップ状態」のとき、半径方向外側へのリング体４０の変形が制限されていないため、雌スナップ２１０の受入部Ｐ２１０に雄スナップ２２０のポスト１０５を差し込むこと、また雌スナップ２１０の受入部Ｐ２１０から雄スナップ２２０のポスト１０５を抜き出すことは困難ではない。
【００５８】
図９及び図１０に示すように、リング体４０の開口Ｐ４０にポスト１０５の頭部１０５ｂが下方から圧入されるとき、半径方向外側へのリング体４０の変形によって、その開口Ｐ４０の開口径が初期の開口径から拡大する。リング体４０の被押圧部４０ｍと缶体１０の筒部１２の内周側面との間にはクリアランスが存在し、これにより、リング体４０の変形が許容され、缶体１０により許容される開口Ｐ４０の拡大の程度が大きく確保される。リング体４０の開口Ｐ４０にポスト１０５の頭部１０５ｂを上方から圧入する場合、つまり、雌スナップ２１０と雄スナップ２２０を分離する場合も同様である。なお、リング体４０は、ポスト１０５から半径方向外側へ押されなくなると、元の形状に復帰し、開口Ｐ４０の開口径が、拡大した開口径から初期の開口径に復帰する。
【００５９】
図８に例示される「強スナップ状態」のとき、リング体４０の被押圧部４０ｍと缶体１０の押圧部１０ｍとが対面しており、リング体４０の変形が制限された状態にあり、つまり、「弱スナップ状態」と比較して、缶体１０により許容されるリング体４０の変形の程度が小さく、また、缶体１０により許容されるリング体４０の開口Ｐ４０の拡大の程度が小さい。従って、雌スナップ２１０の受入部Ｐ２１０からポスト１０５を抜き出すことは容易ではなく、同様に、雌スナップ２１０の受入部Ｐ２１０にポスト１０５を差し込むことは容易ではない。なお、容易ではないということは、程度の問題であり、不可能であることを意味しない。
【００６０】
図１１に示すように、リング体４０の開口Ｐ４０にポスト１０５の頭部１０５ｂを上方から圧入する場合、リング体４０の被押圧部４０ｍが半径方向外側へ移動するが、缶体１０の押圧部１０ｍにより半径方向内側へ押し戻され、結果として半径方向外側へのリング体４０の変形が制限され、リング体４０の開口Ｐ４０の開口径の拡大が制限され、缶体１０により許容される開口Ｐ４０の最大開口幅が小さい。リング体４０の開口Ｐ４０にポスト１０５の頭部１０５ｂを下方から圧入する場合も同様である。
【００６１】
上述の説明から明らかなように、本実施形態においては、周方向におけるリング体４０の被押圧部４０ｍと缶体１０の押圧部１０ｍの相対位置に応じて、缶体１０により許容されるリング体４０の開口Ｐ４０の拡大の程度を調整可能であり、雌スナップ２１０の受入部Ｐ２１０が雄スナップ２２０のポスト１０５を保持する保持力を調整することができる。リング体４０の変形を制限する具体的態様は任意である。しかしながら、本実施形態のように、リング体４０を周囲する周壁部を有する筒部１２を活用することにより、簡素な構成にてリング体４０の変形を制限することができる。
【００６２】
また、上述の説明から明らかなように、本実施形態においては、任意のタイミングで上述の保持力を調整することができる。端的には、雌スナップ２１０の製造後であっても、回転体５０へ回転力を供給することによりリング体４０を回転することができる。例えば、図７に示す角度位置にあるリング体４０を図８に示す角度位置まで回転させる。これにより、弱スナップ状態から強スナップ状態へと変えることができる。したがって、弱スナップ状態にて、雌スナップ２１０と雄スナップ２２０とを係合した後、強スナップ状態へと変えることで、容易に抜き出すことをできなくできる。これは、一例ではあるが、防犯対策に使用できる。なお、雌スナップ２１０の受入部Ｐ２１０が雄スナップ２２０のポスト１０５を保持する保持力は、必ずしも２段階に限られるべきものではなく、２段階以上であっても良い。
【００６３】
スナップボタン２００の製造方法は、上述の説明に照らせば当業者には明らかであろう。補足的に説明すれば、雌スナップ２１０は、例えば、次の手順で製造される。まず、生地２３０に開口を設け、その開口に取付体２０を挿入する。次に、取付体２０と缶体１０とを一体化し、缶体１０内にリング体４０と回転体５０とを積層配置し、カバー３０により缶体１０を上方から閉じ、カバー３０の外周側部３２の下端を曲げる。雄スナップは、例えば、次の手順で製造される。生地２３０に開口を開け、図１に示す形状の板状部材１１０を差し込む。次に、図１に示す形状の板状部材１２０を板状部材１１０に対して係合させる。その後、上述のパンチ処理により雄スナップ２２０を生地２３０に対して強固に固定する。スナップボタン２００の製造手順は、製造に用いる機械／工具等に大きく依存する。
【００６４】
＜第２実施形態＞
図１２を参照して第２実施形態について説明する。本実施形態においては、上述の実施形態とは異なり、リング体４０の主面（上面又は下面）には、半径方向に延びる６つの溝４１ｚが対称配置されている。これにより、リング体４０の変形が促進され、保持力の増大を図ることができる。より詳細には、溝４１ｚをリング体４０の主面に設けることによって、被押圧部４０ｍが缶体１０の押圧部１０ｍにより半径方向内側へと押圧されたとき、リング体４０に変形が生じやすくなり、リング体４０の開口Ｐ４０の開口形状が簡易に変形する。例えば、開口Ｐ４０の開口形状が、正円から楕円へと変形する。これにより、雌スナップ２１０の受入部Ｐ２１０が雄スナップ２２０のポスト１０５を保持する保持力を増大させることが可能になり、より十分な保持力の範囲を確保することができる。なお、本実施形態の場合にも、第１実施形態と同様の効果を得ることができる。
【００６５】
＜第３実施形態＞
図１３を参照して第３実施形態について説明する。本実施形態においては、上述の実施形態とは異なり、リング体４０は、直径Ｒ４０と直径Ｒ４１の中間値である直径Ｒ４２を有し、リング体４０の被押圧部の突出量が、周方向において段階的に変化する。この場合、雌スナップ２１０の受入部Ｐ２１０が雄スナップ２２０のポスト１０５を保持する保持力を３段階とすることができ、これにより、保持力の微妙な調整が可能になる。なお、保持力の調整段数は３段階に限られるべきものではなく、３段階以上としても良い。本実施形態の場合にも、上述の実施形態と同様の効果を得ることができる。
【００６６】
図１３（ａ）に示すように、リング体４０は、直径Ｒ４２に対応した第１被接触部（実施形態の説明では、第１被押圧部と呼ぶ）４０ｍ５、４０ｍ６を更に有する。図１３（ｂ）に示すように、リング体４０の第１被押圧部４０ｍ５、４０ｍ６と缶体１０の接触部（実施形態の説明では、押圧部と呼ぶ）１０ｍとが対面するとき、リング体４０の半径方向外側への変形が小さく制限される。つまり、この図１３（ｂ）においては、リング体４０が半径方向外側に変形する際に、最初はリング体４０の外周と押圧部１０ｍとの隙間分、変形しやすく、その後、押圧部１０ｍと接触すると、それ以上の変形が制限されるため、図１３（ａ）よりも保持力が強くなる。図１３（ｃ）に示すように、直径Ｒ４０に対応したリング体４０の第２被接触部（実施形態の説明では、第２被押圧部と呼ぶ）４０ｍ１、４０ｍ２と缶体１０の押圧部１０ｍとが対面しかつ接触するとき、押圧力によりリング体４０の開口Ｐ４０の開口形状が正円から楕円へと変化し、リング体４０の開口Ｐ４０の開口径の最小値がより小さくなる。図１３（ｃ）のとき、缶体１０によるリング体４０の挟み込みにより、リング体４０がロックされており、回転体５０を回転する操作者にもその状態が把握可能である。
【００６７】
図１３（ａ）に示すとき、上述の保持力が最も弱い。図１３（ｂ）に示すとき、上述の保持力が図１３（ａ）と図１３（ｃ）の場合の中間の値となる。図１３（ｃ）の示すとき、上述の保持力が最も強い。このように多段階的な保持力を提供可能とすることで、スナップボタンの利便性を向上することができ、またその用途の拡大も見込むことができる。
【００６８】
＜第４実施形態＞
図１４を参照して第４実施形態について説明する。本実施形態においては、上述の実施形態とは異なり、リング体４０が楕円状であり、同様に、缶体１０（筒部１２）も楕円状である。図１４（ａ）乃至（ｃ）に示すように、リング体４０を反時計回りに３０度、９０度と段階的に回転させると、図１４（ａ）に示すように缶体１０に対して非接触であったリング体が、図１４（ｂ）に示すように缶体１０（筒部１２）に接触し、そして、図１４（ｃ）に示すように缶体１０（筒部１２）により挟み込まれる。図１４（ａ）〜（ｃ）は、図１３（ａ）〜（ｃ）に対応する。このような態様でリング体４０の半径方向外側への変形を抑制する場合であっても、上述の実施形態と同様の効果を得ることができる。
【００６９】
図１４（ａ）に示すように、リング体４０は、異なる直径Ｒ４３及び直径Ｒ４４を有し、直径Ｒ４３＞直径Ｒ４４の関係を満足する。なお、直径Ｒ４３は、リング体４０の直径の最大値であり、直径Ｒ４４は、リング体４０の直径の最小値である。リング体４０は、直径Ｒ４３に対応して被押圧部４０ｍを有する。ただし、この実施形態にあっては、リング体４０および缶体１０が楕円状であるため、被押圧部４０ｍは直径Ｒ４３以外でも、直径Ｒ４４より大きい箇所で、缶体１０の内側に接触する箇所とすることもできる。
【００７０】
図１４（ｃ）に示すように、缶体１０（筒部１２）は、異なる内径Ｒ１３及び直径Ｒ１４を有し、内径Ｒ１３＞内径Ｒ１４の関係を満足する。なお、内径Ｒ１３は、缶体１０（筒部１２）の内径の最大値であり、内径Ｒ１４は、缶体１０（筒部１２）の内径の最小値である。缶体１０は、内径Ｒ１３に対応して押圧部１０ｍを有する。図１４（ｃ）に示すとき、筒部１２の内周面によりリング体４０の外周側面が挟み込まれている。また、リング体４０の被押圧部４０ｍは、缶体１０の押圧部１０ｍにより押圧されている。
【００７１】
＜第５実施形態＞
図１５乃至図１９を参照して第５実施形態について説明する。本実施形態においては、上述の実施形態とは異なり、リング体４０と回転体５０を機能的／構造的に一体化した単一部材のリング回転体７０を用いる。これにより、上述の実施形態と同様の効果に加えて、雌スナップ２１０の厚みを抑制することができ、また、部品点数も少なくすることができる。更に、本実施形態においては、上述の実施形態とは異なる構成の雌スナップ２１０及び雄スナップ２２０を用いる。この場合であっても、上述の実施形態と同様の効果を得ることができる。
【００７２】
図１５に示すように、雌スナップ２１０は、下部取付保持枠（第２部材）６０、上部取付保持枠６５、及びリング回転体（第１部材）７０を有する。第１実施形態で説明した場合と同様、下部取付保持枠６０と上部取付保持枠６５が雌スナップ２１０の枠部材を構成し、この枠部材内にリング回転体７０が収容される。なお、２つの取付保持枠は、図１５において、その係合筒部６２、６７の位置から、符号６０を内側取付保持枠、符号６５を外側取付保持枠と言うこともできる。
【００７３】
図１５に示すように、下部取付保持枠６０は、ベース６１、及び係合筒部６２を有する。係合筒部６２が、リング回転体７０の下半分を周囲する周壁部を成す。係合筒部６２の上端には、半径方向外側へ突出した鍔部６３が設けられている。ベース６１の内端部上には、リング回転体７０が載置される。ベース６１の外端部上には、生地２３０がある。図１５に示すように、上部取付保持枠６５は、ベース６６及び係合筒部６７を有する。係合筒部６７が、下部取付保持枠６０の係合筒部６２と共にリング回転体７０の下半分を周囲する周壁部を成す。係合筒部６７の下端には、半径方向内側へと突出したフック６８が設けられている。ベース６６の内端部の下方には、リング回転体７０がある。ベース６１の外端部の下方には、生地２３０がある。鍔部６３とフック６８の係合により、下部取付保持枠６０、６５の係合が確保される。
【００７４】
生地２３０に設けられた開口に下部取付保持枠６０を配置し、下部取付保持枠６０内にリング回転体７０を配置し、その後、下部取付保持枠６０に対して上部取付保持枠６５を嵌め合わすことにより雌スナップ２１０を組み立てると良い。代替的に、生地２３０に設けられた開口に下部取付保持枠６０を配置し、下部取付保持枠６０に対して上部取付保持枠６５を嵌め合わした後、下部取付保持枠６０と上部取付保持枠６５により区画された空間へリング回転体７０を配置しても良い。
【００７５】
図１５に示すとき、下部取付保持枠６０と上部取付保持枠６５によって生地２３０が上下から挟み込まれている。これにより、生地２３０に対する雌スナップ２１０の固定が確保される。図１５に示すとき、下部取付保持枠６０に収容されたリング回転体７０が上部取付保持枠６５により位置規制され、これにより、下部取付保持枠６０と上部取付保持枠６５との間でリング回転体７０が軸ＡＸ周りに回転可能に保持される。なお、雌部材２１０が取り付けられる生地２３０は、例えば、車の座席に設けられる足置きマット等の厚手の素材である。
【００７６】
図１５に示すようにリング回転体７０は、雄スナップ２２０のポスト１０５を受け入れる受入部Ｐ７０を下面に有し、マイナスドライバー等の工具が嵌め合わされる凹部Ｐ７１を上面に有する。リング回転体７０の外周面には、半径方向外側へ同程度に突出したリング部７２とリング部７３が設けられている。リング部７２は、第１実施形態で説明したリング本体に相当する。周方向におけるリング部７２と下部取付保持枠６０の相対位置に応じて上述の保持力を調整することができる。リング部７３は、第１実施形態で説明した回転体５０の外側肉厚Ｗ５０ａの部分に相当し、上部取付保持枠６５の下方に配され、上部取付保持枠６５により上方への変位が規制される。
【００７７】
雄スナップ２２０は、第１実施形態と同様、ポスト１０５を有し、かつ生地２３０に対して固定される。第１実施形態とは異なり、雄スナップ２２０は、取付体１３０及びポスト体１４０から構成される。取付体１３０によりポスト体１４０が生地２３０に対して固定される。
【００７８】
取付体１３０は、ベース１３１及び貫通筒部１３２を有する。ベース１３１は、軸ＡＸを周囲する環状部分であり、生地２３０を下方から押し付ける。貫通筒部１３２は、ベース１３１の中心に設けられた円筒部分であり、生地２３０を貫通する。生地２３０を貫通した後、貫通筒部１３２の先端が曲げ加工され、これにより、貫通筒部１３２の上端には半径方向外側へ湾曲した湾曲部１３３が設けられる。湾曲部１３３によりポスト体１４０が生地２３０に対して押し込まれ、これにより、取付体１３０とポスト体１４０とにより生地２３０が好適に上下から挟み込まれる。
【００７９】
ポスト体１４０は、ベース１４１及び円筒部１４２を有する。ベース１４１は、軸ＡＸを周囲する環状部分であり、生地２３０を上方から押し付ける。円筒部１４２は、ベース１４１の中心に設けられた円筒部分であり、雌スナップ２１０の受入部Ｐ７０により受け入れられる。円筒部１４２の上端部分には、その外周面が半径方向外側へ弧状に膨出した膨出部１４３が設けられている。膨出部１４３は、第１実施形態のポスト１０５の頭部１０５ｂに相当する。円筒部１４２の外周面が半径方向外側へ膨出していない部分は、第１実施形態のポスト１０５の首部１０５ａに相当する。
【００８０】
図１６に示すように、上部取付保持枠６５のベース６６の上面には、「ＯＮ」、「ＯＦＦ」といった指標が印刷／刻印等の任意の方法により設けられており、これにより、上述の保持力を外部から即時に把握することができる。なお、上部取付保持枠６５のベース６６の上面に設けられる指標は、アルファベット等の文字に限らず、図形、凸凹構造等であっても良い。指標は、金型成形、レーザーマーキング、熱加工、着色等の任意の手段により上部取付保持枠６５に設けられる。
【００８１】
図１７を参照して周方向におけるリング回転体７０と下部取付保持枠６０の相対位置に応じて受入部Ｐ７０によるポスト１０５の保持力が調整される仕組みについて説明する。図１７は、図１５のＸ１７−Ｘ１７におけるリング回転体７０、下部取付保持枠６０、及び生地２３０の断面図である。
【００８２】
リング回転体７０は、第１実施形態と同様、互いに異なる直径Ｒ７０、Ｒ７１を有し、直径Ｒ７０＞直径Ｒ７１を満足する。直径Ｒ７０に対応する部分を被押圧部７０ｍと呼ぶ。被押圧部７０ｍは、図１７に示すように、半径方向外側へ突出部７０ｍ１、７０ｍ２である。
【００８３】
下部取付保持枠６０の係合筒部６２は、互いに異なる内径Ｒ６０、Ｒ６１を有し、内径Ｒ６０＜直径Ｒ６１を満足する。内径Ｒ６０に対応する部分を押圧部６０ｍと呼ぶ。押圧部６０ｍは、図１７に示すように、半径方向外側へ突出した突出部６０ｍ１、６０ｍ２である。突出部６０ｍ１、６０ｍ２は、係合筒部６２の内周側面が半径方向内側へ膨出した部分である。
【００８４】
図１７に示すとき、リング回転体７０の被押圧部７０ｍと下部取付保持枠６０の押圧部６０ｍとが対面していなく、弱スナップ状態にある。他方、第１実施形態の図８と同様に、リング回転体７０の被押圧部４０ｍと下部取付保持枠６０の押圧部６０ｍとを対面させることで、強スナップ状態とすることができる。
【００８５】
図１７に示すように、リング回転体７０の被押圧部７０ｍの周方向中央には、半径方向外側へ更に突出した凸部７０ｍ５が設けられる。他方、下部取付保持枠６０の係合筒部６２の押圧部６０ｍの周方向中央には、半径方向外側へ窪んだ凹部６０ｍ５が設けられる。凹部６０ｍ５に対して凸部７０ｍ５が嵌め込まれることにより、操作者に対してロック感覚を与えることができる。また、その程度を強めることにより、リング回転体７０の回転がより十分に規制される。
【００８６】
図１８及び図１９は、雌スナップ２１０の受入部Ｐ７０へ雄スナップ２２０のポスト１０５が差し込まれた後、上述のようにリング回転体７０が下部取付保持枠６０によりロックされた状態を示す。図１８及び図１９に示すとき、リング回転体７０の被押圧部７０ｍと下部取付保持枠６０の係合筒部６２の押圧部６０ｍとが対面しており、リング回転体７０の変形が制限された状態にある。従って、雌スナップ２１０の受入部Ｐ７０からポスト１０５を抜き出すことは容易ではなく、同様に、雌スナップ２１０の受入部Ｐ７０にポスト１０５を差し込むことは容易ではない。リング回転体７０の受入部Ｐ７０からポスト１０５を抜き出そうとしても、リング回転体７０の被押圧部７０ｍが係合筒部６２の押圧部６０ｍにより半径方向内側へ押され、半径方向外側へのリング回転体７０の変形が制限される。
【００８７】
＜第６実施形態＞
図２０及び図２１を参照して第６実施形態について説明する。上述の実施形態では、固定部材（図１に示す缶体１０、図１５に示す下部取付保持枠６０）に押圧部を設け、回転部材（図１に示すリング体４０、図１５に示すリング回転体７０）に被押圧部を設ける。他方、本実施形態においては、回転部材に押圧部を設け、固定部材に被押圧部を設ける。このような場合であっても、上述の実施形態と同様の効果を得ることができる。
【００８８】
図２０に雌スナップ２１０の上面図及び断面図を示す。図２０の下部分に示すように、回転体（第２部材）５０は、リング体４０上に配置されている。回転体５０は、第１実施形態とは異なり、リング体４０の外周側面の横に配された一組の接触片（本説明では、押圧片と呼ぶ）５７を有する。押圧片５７は、回転体５０の下面の外周部分から、下方に突出した部分である。一組の押圧片５７は、図２１に示すように、周方向に１８０度間隔にて設けられている。なお、押圧片５７は、上述と同様の押圧部５０ｍを構成する。
【００８９】
図２０に示すように、回転体５０の上部５８には、把持部８０が取り付けられている。把持部８０を把持し、これを時計周り又は反時計回りに回転することにより、回転体５０を軸ＡＸ周りに回転させることができる。なお、本例では、回転体５０が受けた回転力は、リング体４０へ伝達されない。リング体４０は、缶体１０内に任意の方法で固定されている。
【００９０】
図２０に示すように、回転体５０の上部５８は、カバー３０よりも上方へ凸状に膨出している。回転体５０の上部５８の外周側面には、一組の凹部５９が設けられている。把持部８０は、輪体が半分に切断された形状を有し、その切断箇所近傍の内周面には、半径方向内側へ突出した一組の凸部８５が設けられている。回転体５０の凹部５９に把持部８０の凸部８５を嵌め合わせることにより、回転体５０に対して把持部８０が装着される。なお、把持部８０の本体には、肉厚部８１と肉薄部８２とが設けられており、肉厚部８１と肉薄部８２の境界がカバー３０の外周縁のライン上に設定されている（図２０の上部分参照）。これにより、把持部８０が起立状態から伏した状態へ倒れたとき、カバー３０上に把持部８０を弱固定することができる。
【００９１】
図２１を参照して上述の保持力を調整する点について説明する。図２１（ａ）に示すとき、リング体４０の被押圧部４０ｍと回転体５０の押圧片５７とが対面していなく、リング体４０の半径方向外側への変形が制限されていない。他方、図２１（ｂ）に示すとき、リング体４０の被押圧部４０ｍと回転体５０の押圧片５７とが対面しており、リング体４０の半径方向外側への変形が制限されている。なお、図２１（ａ）に示すように、缶体１０の内径Ｒ１０とし、押圧片５７間の径をＲ５０としたとき、Ｒ１０＞Ｒ５０を満足する。
【００９２】
＜第７実施形態＞
図２２乃至図２８を参照して第７実施形態について説明する。上述の実施形態では、周方向における押圧部と被押圧部の相対位置を任意に変更することができる。他方、本実施形態においては、雌スナップの製造時、周方向における押圧部と被押圧部の相対位置を設定／固定し、リング体の半径方向外側への変形が制限された強スナップタイプとリング体の半径方向外側への変形が制限されていない弱スナップタイプを別々に製造する。このような場合であっても、製造後における強弱調整機能が失われるに留まり、上述の実施形態と同様の効果を得ることができる。なお、本実施形態においては、上述の実施形態における強弱調整機能が、スナップタイプの選定により置き換えられている、とも言える。強スナップタイプでは、雌スナップ２１０と雄スナップ２２０の連結／連結解除に、より強い力が必要になる。本実施形態では、上述の実施形態とは異なる構成の雌スナップ２１０を採用する。このような場合であっても、上述の実施形態で説明した利点が失われることはない。
【００９３】
図２２及び図２３を参照して雌スナップ２１０の構成について説明する。図２２に示すように、雌スナップ２１０は、保持枠（第２部材）９１、及び取付部材９２を有する。保持枠９１は、円筒部材が任意の方法で形状出しされた部材であり、底部９１ａ、筒部９１ｂ、及び押え部９１ｃを有する。底部９１ａには四角状の開口が設けられ、この開口周りにリング体４０が任意の方法で固定される。筒部９１ｂは、軸ＡＸに沿って延在する部分である。押え部９１ｃは、筒部９１ｂの上端から半径方向内側へ延在し、軸ＡＸ上に開口を有する。押え部９１ｃは、生地への取付状態において、生地２３０の下面に当接し、上方を押し付ける。そして、雄スナップ２２０のポスト１０５を受け入れる受入部Ｐ９１を有し、その受入部Ｐ９１内で底部９１ａ寄りにリング体４０が位置する。
【００９４】
図２２に示すように、取付部材９２は、取付板９３及び化粧板９４を有する。取付板９３は、ベース９３ａ、及びシャンク９３ｂを有する。ベース９３ａは、軸ＡＸを周囲する環状部分であり、軸ＡＸ方向において異なる高さ位置にある内周及び外周領域を有する。ベース９３ａの内周領域が、生地２３０に上に配置され、生地２３０を下方へ押圧する。シャンク９３ｂは、軸ＡＸに沿って延在し、かつ生地２３０を貫通する円筒部分である。シャンク９３ｂの下端が半径方向外側へ湾曲され、これにより、シャンク９３ｂの下端には湾曲部９３ｃが設けられる。湾曲部９３ｃが押え部９１ｃの内端に係合することにより、保持枠９１と取付部材９２とが上下に連結し、両者の間に生地２３０が挟み込まれ、生地２３０に対して雌スナップ２１０が固定される。
【００９５】
図２２に示すように、化粧板９４は、被覆部９４ａ及び湾曲部９４ｂを有する。被覆部９４ａは、取付板９３上に配された円盤状部分であり、これにより、取付板９３のシャンク９３ｂの貫通孔が被覆される。湾曲部９４ｂは、取付板９３の外周端部が下方かつ半径方向内側へ円を描くように湾曲した部分である。湾曲部９４ｂの端部と被覆部９４ａの下面との間でベース９３ａの外周端が挟み込まれることにより、化粧板９４が取付板９３に対して取り付けられる。上述の実施形態と同様、図２３に示すように雌スナップ２１０と雄スナップ２２０と上下に連結する。
【００９６】
冒頭で述べたように、本実施形態においては、雌スナップ２１０の製造時、周方向における押圧部と被押圧部の相対位置を設定／固定し、リング体４０の半径方向外側への変形が制限された強スナップタイプとリング体４０の半径方向外側への変形が制限されていない弱スナップタイプを別々に製造する。この点について図２４乃至図２８を参照して更に詳述する。図２４及び図２５は、押圧部と被押圧部とが対面配置されていないタイプを示す。図２６乃至図２８は、押圧部と被押圧部が対面配置されているタイプを示す。なお、図２５及び図２７は、図２２における一点鎖線Ｘ２５−Ｘ２５間の断面構成を示す。
【００９７】
なお、本例においては、保持枠９１の筒部９１ｂが、半径方向内側へ周方向の所定範囲で窪む窪み９７により押圧部９１ｍが設けられている。リング体４０に被押圧部４０ｍが設けられる点は第１実施形態と同様である。
【００９８】
図２４に示すようにリング体４０の下面にマーク９５が設けられている弱スナップタイプでは、図２５に示すように被押圧部４０ｍと押圧部９１ｍとが対面配置されておらず、リング体４０の半径方向外側への変形が制限されていない。図２４に示すように、保持枠９１は、四角形の開口９６ａを有し、リング体４０の下面にはその開口９６ａに入る環状凸部４３を有する。この実施形態にあっては、環状凸部４３は、円形よりも四角形に近い。そして、この環状凸部４３には三角形状のマーク９５が配置されている。
【００９９】
図２６に示すようにマーク９５が図２４の位置と異なる強スナップタイプでは、図２７に示すように被押圧部４０ｍと押圧部９１ｍとが対面配置されており、リング体４０の半径方向外側への変形が制限されている。図２８に図２７の一点鎖線Ｘ２８−Ｘ２８における雌スナップ２１０の断面図を示す。図２８に示すように、リング体４０の被押圧部４０ｍと保持枠９１の筒部９１ｂの押圧部９１ｍとが対面配置されており、リング体４０の半径方向外側への変形が制限されている。
【０１００】
図２４に示す弱スナップタイプと図２６に示す強スナップタイプの判別は簡単である。図２４に示すように、雌スナップ２１０の筒部９１の外周には１８０度間隔で設けられた２つの窪み９７が設けられている。２つの窪み９７を親指と人差し指で挟み込むように持って雌スナップ２１０のリング体４０を正面視すると、看者を基準として、マーク９５が手前左又は奥手右に向く場合、図２４に示す弱スナップタイプであることが分かる。同様に雌スナップ２１０のリング体４０を正面視したとき、看者を基準として、マーク９５が奥手左又は手前右に向く場合、図２６に示す強スナップタイプであることが分かる。なお、図２４及び図２６に示すように、周方向における各窪み９７の中心を結ぶ二点鎖線で示された鏡面９９を仮想すると、図２４に示すリング体４０のマーク９５と図２６に示すリング体４０のマーク９５とは鏡像対称になる。
【０１０１】
＜第８実施形態＞
図２９乃至図３２を参照して第８実施形態について説明する。上述の実施形態では、リング体が単一の環状の弾性材料から構成されていた。他方、本実施形態では、リング体を複数の部材に分割し、リング体の変形がリング体を構成する各部材の配置間隔の変更により達成される。この場合においても、リング体は、バネ等の弾性部材の活用により、元形状へ復帰可能であり、上述の実施形態と同様の効果を得ることができる。リング体の構成部材に金属材を活用すれば、その強度を高め、スナップボタンの耐久性を向上させることができる。本実施形態では、リング体を２つに分割し、両者を弾性部材の板バネで連結している。しかしながら、リング体の分割数は任意であり、３以上に分割しても良い。分割した各部分を弾性的に接続する具体的態様は任意であり、必ずしも、後述の板バネに限定されるものではない。
【０１０２】
なお、周方向における押圧部１０ｍと被押圧部４０ｍの相対位置に応じて、換言すれば周方向における缶体１０に対するリング体４０の回動に応じて、缶体１０により許容されるリング体４０の変形の程度が変化する点、及び缶体１０により許容されるリング体４０の開口Ｐ４０の拡大の程度が変化する点は上述の実施形態と同様である。
【０１０３】
図２９は、図３０の一点鎖線Ｘ２９−Ｘ２９における断面図である。図３０は、図２９の一点鎖線Ｘ３０−Ｘ３０における雌スナップの概略的な水平断面図である。図３１は、図２９の一点鎖線Ｘ３１−Ｘ３１における雌スナップの概略的な断面図である。図３２は、図３０に示す位置から９０度回転した状態の雌スナップの概略的な水平断面図である。図３０は、第１実施形態の図７の場合に相当する。図３２は、第１実施形態の図８の場合に相当する。
【０１０４】
図２９乃至図３２に示すように、リング体４０は、環状部材が２分割されたＵ字部４５ｐ、及びＵ字部４５ｑを含み、これらのＵ字部４５ｐ、４５ｑが板バネ４７、４８により連結して構成される。Ｕ字部４５ｐ、４５ｑは、図３０に示すように、上面視してＵ字状の部分であり、Ｕ字に窪んだ部分が互いに向き合うように対向配置される。Ｕ字部４５ｐの２つの端部には、夫々、ポストの挿通方向に貫通する貫通孔４６ａ、４６ｂが設けられる。Ｕ字部４５ｑの２つの端部には、夫々、ポストの挿通方向に貫通する貫通孔４６ｃ、４６ｄが設けられる。これらの貫通口は、離間したＵ字部同士を弾性的に連結する板バネの挿入固定のために設けられている。板バネ４７、４８は、図３１から把握されるように、Ｕ字状に構成され、２つの挿入端を具備する。典型的には、板バネは、金属製であるが、これに限らず樹脂製にもできる。
【０１０５】
別部材である２つのＵ字部４５ｐ、４５ｑを互いに向き合うように対向配置することにより、リング体４０の開口Ｐ４０が確定され、この開口Ｐ４０へ雄スナップのポストが挿入され、リング体４０とポストが係合する。雄スナップのポストの挿入・係合に関しては、リング体（第１部材）が環状部材であることは、好ましい一例であるに過ぎない。
【０１０６】
例えば、第１部材が、軸ＡＸを対称軸として対向する別々の部材（板バネ等により一体化されていないもの）から構成されていても良い。この場合、各部材の配置方向において、各部材間の寸法（間隔）が、通常は同方向における頭部の寸法よりも小さく、係合時（ポストの挿入を許容する際）に、頭部の同寸法よりも大きくなり、また、頭部の通過後に各部材間の間隔が通常の間隔に戻り、これにより、頭部の通過及び係合が許容される。なお、軸ＡＸを中心に複数の部材を配置するとは、例えば、対向する２つの部材、もしくは周方向の１２０°に１つ配置される３つの部材や、周方向の７２°に１つ配置される５つの部材などがある。つまり、雄部材のポスト部の周方向に少なくとも１つ以上配置され、軸ＡＸから離間する方向で、その部材の外側に同軸上に第２部材が配置される。個々の部材を元位置へ復帰させる具体的な態様は任意であり、例示的には、バネ等の弾性部材の活用が挙げられる。
【０１０７】
図３０に示すように、板バネ４７の２つの挿入端は、夫々、貫通孔４６ａ、４６ｃに挿入される。板バネ４８の２つの挿入端は、夫々、貫通孔４６ｂ、４６ｄに挿入される。これにより、Ｕ字部４５ｐとＵ字部４５ｑとが、受け部Ｐ２１０の深さ方向に直交する平面において弾性的に連結する。雄スナップ２２０のポスト１０５が雌スナップ２１０の受け部Ｐ２１０へ挿入されるとき、Ｕ字部４５ｐとＵ字部４５ｑは、各々、半径方向外側へと変位することができ、両者間の幅の拡大を確保することができる。雄スナップ２２０のポスト１０５による押圧が無くなると、板バネ４７、４８の形状の復帰に応じて、Ｕ字部４５ｐとＵ字部４５ｑが半径方向内側へと変位し、両者間の幅が初期値に戻る。
【０１０８】
本実施形態においては、Ｕ字部４５ｐ、４５ｑが金属製であり、両者が弾性的に結合される。金属製のＵ字部は、雄スナップ２２０のポスト１０５の繰り返しの圧接にも十分に耐えることができ、これにより、雌スナップ２１０の耐久性が向上する。更に、図３２に示す状態のとき、樹脂製の場合と比較してＵ字部に生じる変形量が制限されるため、雌スナップ２１０と雄スナップ２２０が上下に連結した状態で両者を分離することは困難になる。雄スナップ２２０のポスト１０５からＵ字部が半径方向外側への圧力を受けたとしても、Ｕ字部４５ｐ、４５ｑの間隔が拡大することは制限されている。本実施形態においては、リング体４０の回転により図３０に示す状態から図３２に示す状態とすることで、強固に雌スナップ２１０と雄スナップ２２０の連結をロックすることができる。
【０１０９】
＜第９実施形態＞
図３３乃至図３９を参照して第９実施形態について説明する。図３３は、雌スナップの概略的な上面図及び断面図であり、図３３の紙面上部に上面図を示し、図３３の紙面下部に同図に示した上面図のＸ３３−Ｘ３３に沿う断面図を示す。図３４は、雌スナップのリング体の概略的な上面図及び断面図であり、図３４の紙面上部に上面図を示し、図３４の紙面下部に同図に示した上面図のＸ３４−Ｘ３４に沿う断面図を示す。図３５は、雌スナップの板バネの概略的な斜視図である。図３６は、図３３の断面図の一点鎖線Ｘ３６−Ｘ３６における非ロック状態の雌スナップの概略的な水平断面図であり、（ａ）においてＵ字部の合体状態を模式的に示し、（ｂ）においてＵ字部の分離状態を模式的に示す。図３７は、スナップボタンの概略的な断面図であり、雌スナップが非ロック状態にある。図３８は、図３３の断面図の一点鎖線Ｘ３６−Ｘ３６におけるロック状態の雌スナップの概略的な水平断面図である。図３９は、図３８の一点鎖線Ｘ３９−Ｘ３９におけるロック状態の雌スナップの概略的な垂直断面図である。
【０１１０】
本実施形態においては、第８実施形態とは異なり、リング体４０の２分割により生じたＵ字部４５に対する付勢をリング体４０と缶体１０間の周方向に延びる板バネ４９により確保する。このような場合であっても上述の実施形態と同様の効果を得ることができる。板バネ４９の長さ調整により、適切なバネ力を簡便に確保可能であり、また十分な大きさのバネ力を確保しやすい。なお、バネ力の増大により雌スナップ２１０の係合力を増大することができる。バネ力の増大により雌スナップ２１０の繰り返し使用に対する耐性も高めることが期待できる。
【０１１１】
なお、本例においては、図３６に示すように、各板バネ４９は、周方向において１８０度間隔で設けられる２つの突出部１０ｍ１、１０ｍ２の間に位置している。各板バネ４９は、回転体５０の回動に連動して周方向に変位し、図３８に示すように、２つの突出部１０ｍ１、１０ｍ２よりも半径方向内側に配される。
【０１１２】
本実施形態においては、図３４に示すように、Ｕ字部４５ｐ、４５ｑが板バネにより連結したものではなく、Ｕ字部４５ｐ、４５ｑが両者間の遊嵌により緩く結合しているに留まる。第８実施形態と比較してＵ字部４５ｐ、４５ｑ同士を連結する必要がないため、雌スナップ２１０の組立の簡素化を図ることができる。
【０１１３】
なお、周方向における押圧部と被押圧部の相対位置に応じて、換言すれば周方向における缶体１０に対するリング体４０の回動に応じて、缶体１０により許容されるリング体４０の変形の程度が変化する点、及び缶体１０により許容されるリング体４０の開口Ｐ４０の拡大の程度が変化する点は上述の実施形態と同様である。
【０１１４】
図３３及び図３４に示すように缶体１０内に配置されるリング体４０が一組のＵ字部４５ｐ、４５ｑから構成される。Ｕ字部４５ｐの一端の端面には凸状嵌合部４５ｐ１が設けられ、Ｕ字部４５ｐの他端の端面には凹状被嵌合部４５ｐ２が設けられ、Ｕ字部４５ｐの両端間の中央の中央部上面には挿入突起４５ｐ５が突出して設けられる。挿入突起４５ｐ５は、リング体４０上に配置される回転体５０の底面の凹状の被挿入部５００ｐに挿入される。Ｕ字部４５ｑの構成は、Ｕ字部４５ｐと同様であり、重複説明は省略する。なお、Ｕ字部４５ｑの凸状嵌合部４５ｑ１、凹状被嵌合部４５ｑ２、挿入突起４５ｑ５が、Ｕ字部４５ｐの凸状嵌合部４５ｐ１、凹状被嵌合部４５ｐ２、挿入突起４５ｐ５に対応する。
【０１１５】
Ｕ字部４５ｐの凸状嵌合部４５ｐ１がＵ字部４５ｑの凹状被嵌合部４５ｑ２に緩く嵌合し、Ｕ字部４５ｑの凸部４５ｑ１がＵ字部４５ｐの凹部４５ｐ２に緩く嵌合し、これにより、Ｕ字部４５ｐとＵ字部４５ｑ同士の間隔の拡大及び縮小、換言すれば、リング体４０の開口Ｐ４０の開口幅の拡大及び縮小が確保される。
【０１１６】
図３３及び図３５に示すように缶体１０内には上述の一組のＵ字部４５ｐ、４５ｑに対応して一組の板バネ４９ｐ、４９ｑが設けられる。図３５に示すように、板バネ４９ｐは、初期姿勢が平坦の一定厚の金属板である。板バネ４９ｐは、長尺な平板部４９ｐ５と、平板部４９ｐ５の両端の中央において突出して設けられた挿入片４９ｐ６を有する。板バネ４９ｑの構成は、板バネ４９ｐと同様であり、重複説明は省略する。
【０１１７】
図３６も追加的に参照して説明する。板バネ４９ｐが、Ｕ字部４５ｐと缶体１０の間に配置され、その平板部４９ｐ５がＵ字部４５ｐの外周側面と缶体１０の内周側面との間で弧状に湾曲するように強いられ、板バネ４９ｐの平板部４５ｐ５には直線状の初期形状に復帰するバネ力が付与される。板バネ４９ｑについても同様に、Ｕ字部４５ｑと缶体１０の間に配置されて、板バネ４９ｐのバネ力に等しいバネ力が付与される。Ｕ字部４５の半径方向内側への付勢源として板バネを活用する場合、リング体４０と缶体１０の間の周方向に連続した空間を利用することができ、板バネのより十分な長さを確保しやすく、つまりより十分なバネ力を確保するのに適する。
【０１１８】
図３６（ａ）に示すように、板バネ４９ｑの平板部４９ｑ５には、その各端部が半径方向外側へ変位するバネ力が与えられる。板バネ４９ｑの平板部４９ｑ５の各端部が缶体１０の内周側面を押圧することに応じてＵ字部４５ｑが半径方向内側へ付勢される。同様にして、板バネ４５ｐのバネ力に応じてＵ字部４５ｐが半径方向内側へ付勢される。このようにしてＵ字部４５ｐとＵ字部４５ｑの閉じ、両者の配置間隔が最小の初期状態が確保及び維持される。
【０１１９】
板バネ４９ｐの挿入片４９ｐ６は、Ｕ字部４５ｐの挿入突起４５ｐ５と共に回転体５０の底面の凹状の被挿入部５００ｐに挿入される。板バネ４９ｑの挿入片４９ｑ６は、Ｕ字部４５ｑの挿入突起４５ｑ５と共に回転体５０の底面の凹状の被挿入部５００ｑに挿入される。回転体５０の回転に応じて一組のＵ字部と一組の板バネが軸ＡＸ回りに回動する。回転体５０との関係において各Ｕ字部と各板バネが個別に取り付け可能であり組立容易である。
【０１２０】
図３６（ａ）に示すとき、図３３に示すように、板バネ４９ｐ、４９ｑと缶体１０の間には十分な幅Ｗ３２０のクリアランスが確保され、Ｕ字部４５ｐとＵ字部４５ｑの配置間隔の拡大が許容される。なお、上述のクリアランスは、板バネ４９ｐ、４９ｑの両端部が缶体１０の内周側面に接触し、板バネ４９ｐ、４９ｑの平板部４５ｐ５に直線状の初期形状に復帰するバネ力が付与されるため生じる。
【０１２１】
図３６（ｂ）は、雄スナップ２２０のポスト１０５が雌スナップ２２０の受け部Ｐ２１０に挿脱される過程を模式的に示す。各板バネ４９から各Ｕ字部４５が受ける付勢力に勝る押圧力がポスト１０５から各Ｕ字部４５に与えられるものとする。この挿脱過程において、Ｕ字部４５ｐがポスト１０５により半径方向外側へ押され、Ｕ字部４５ｑがポスト１０５により半径方向外側へ押され、Ｕ字部４５ｐとＵ字部４５ｑの間隔が広がり、開口Ｐ４０の開口幅が拡大する。缶体１０により許容される開口Ｐ４０の拡大の程度が大きいと言える。
【０１２２】
図３６（ｂ）に示す時、板バネ４９ｐ、４９ｑと缶体１０の間には上述のクリアランスが無くなり、リング体４０の開口Ｐ４０の開口幅が最大になり、缶体１０の剛性により開口幅の更なる拡大は阻止される。図３６（ｂ）は瞬間的態様を模式的に示したに過ぎないものであるため、同図に示すように、Ｕ字部４５ｐの凸状嵌合部４５ｐ１がＵ字部４５ｑの凹状被嵌合部４５ｑ２から完全に脱する必要はない。
【０１２３】
開口Ｐ４０には、一組のＵ字部４５ｐ、４５ｑが並ぶ方向の寸法の第１開口幅Ｗ４０１と、これに直交する方向の寸法の第２開口幅Ｗ４０２が設定される。第１開口幅Ｗ４０１は、各Ｕ字部４５ｐ、４５ｑが環状に連結するとき、ポスト１０５の頭部１０５ｂの最大直径よりも狭く、各Ｕ字部４５ｐ、４５ｑが離間した状態では、ポスト１０５の頭部１０５ｂの最大直径よりも広くなる。他方、第２開口幅Ｗ４０２は、ポスト１０５の頭部１０５ｂの最大直径よりも僅かに大きく設定される。第１開口幅Ｗ４０１の拡大に応じてポスト１０５の開口Ｐ４０の通過が許容され、第１開口幅Ｗ４０１の縮小に応じてポスト１０５と雌スナップ２１０間の係合が確保される。なお、各Ｕ字部４５ｐ、４５ｑが環状に連結した時の開口Ｐ４０の開口形状は、Ｕ字部４５ｐ、４５ｑの並び方向に幅広の楕円形状である。
【０１２４】
図３７に示すように雌スナップ２１０に雄スナップ２２０がスナップインした後においては、各Ｕ字部４５ｐ、４５ｑが各板バネ４９ｐ、４９ｑにより半径方向内側へ付勢され、これにより、ポスト１０５が環状に連結したＵ字部４５ｐ、４５ｑにより挟み込まれ、ポスト１０５が雌スナップ２１０に係合する。上述の第１開口幅Ｗ４０１は、板バネ４９の弾性により、ポスト１０５の頭部１０５ｂの最大直径よりも広い開口幅から狭い開口幅へ復帰する。板バネ４９によりＵ字部４５の半径方向内側への変位に応じて、リング体４０の開口Ｐ４０の開口幅が、図３６（ｂ）の拡大した開口幅から図３６（ａ）の初期開口幅へ減少する。
【０１２５】
なお、図３７に示す状態において、雌スナップ２１０から雄スナップ２２０を引き抜くと、ポスト１０５による各Ｕ字部４５の半径方向外側への押圧力が各板バネ４９のバネ力に勝り、Ｕ字部４５ｐ、４５ｑ間の間隔が拡大し、つまり、リング体４０の開口Ｐ４０が拡大し、リング体４０の開口Ｐ４０を介したポスト１０５の一時的通過が許容される。
【０１２６】
上述の実施形態と同様、雌スナップ２１０の係合力は、回転体５０の回動により調整可能である。図３３に示した回転体５０を図３３の紙面を正面視して時計回りに９０°回転すると、雌スナップ２１０が、図３６に示した非ロック状態から図３８に示したロック状態になる。
【０１２７】
図３８に示す時、缶体１０の一組の押圧部１０ｍの間において板バネ４９ｐ、Ｕ字部４５ｐ、Ｕ字部４５ｑ、及び板バネ４９ｑが一組の押圧部１０ｍにより挟まれて、各Ｕ字部４５ｐ、４５ｑの半径方向外側への変位、Ｕ字部４５ｐ、４５ｑの配置間隔の拡大、及びリング体４０の開口の拡大が全く若しくは殆ど許容されない状態になる。つまり、缶体１０の押圧部１０ｍと板バネ４９ｐ、４９ｑが接触し、その接触面と反対面側にＵ字部４５ｐ、４５ｑが接触する。板バネ４９ｐ、４９ｑと押圧部１０ｍとの接触によって、一組のＵ字部４５ｐ、４５ｑにより囲まれて形成される開口Ｐ４０が拡大する程度が抑制される。
【０１２８】
板バネ４９にバネ力を付与するための板バネ４９ｐ、４９ｑと缶体１０の接触位置と、開口Ｐ４０が拡大する程度を抑制するための板バネ４９ｐ、４９ｑと缶体１０の接触位置とは異なる位置にて確保される。板バネ４９にバネ力を付与するための缶体１０に対する板バネ４９の接触位置は、板バネ４９ｐ、４９ｑの両端部にある。缶体１０側については、周方向における押圧部１０ｍの両隣の缶体１０の内側面にある。開口Ｐ４０が拡大する程度を抑制するための缶体１０に対する板バネ４９の接触位置は、板バネ４９ｐ、４９ｑの中央付近にある。缶体１０側については、押圧部１０ｍの内側面にある。一組のＵ字部４５ｐ、４５ｑが互いに離間する方向に対して平行で、かつ開口Ｐ４０の中心を通る仮想線が板バネ４９ｐ、４９ｑと交差する位置が、板バネ４９ｐ、４９ｑの両端間の中央付近にあり、これにより、開口Ｐ４０の拡大の程度を好適に抑制することができる。
【０１２９】
図３８に示す時、缶体１０により許容されるＵ字部４５ｐ、４５ｑの半径方向外側への変位が実質的にゼロである。従って、雄スナップ２２０のポスト１０５を雌スナップ２１０の受け部Ｐ２１０に圧入しても係合し得ない。図３８に示す場合、板バネ４９の厚み分だけ押圧部１０ｍの突出高さを低くすることができる。
【０１３０】
本例においては、リング体４０に設けられる被押圧部４０ｍ１は、板バネ４９ｐの平板部４９ｐ５の長手方向中央部である。リング体４０に設けられる被押圧部４０ｍ２は、板バネ４９ｑの平板部４９ｑ５の長手方向中央部である。
【０１３１】
図３９に模式的に示すように雌スナップ２１０に雄スナップ２２０のポスト１０５がスナップインしているとき、板バネ４９ｐ、４９ｑと缶体１０の間にはクリアランスが全く又は殆ど無く、仮に雌スナップ２１０の受け部Ｐ２１０からポスト１０５を引き抜こうとしても、Ｕ字部４５ｐ、４５ｑが半径方向外側へ全く若しくは殆ど変位できず、これにより、雌スナップ２１０と雄スナップ２２０の脱着が阻止される。本実施形態においては、雌スナップボタンの係合力に顕著な強弱を付与することができ、雄スナップのポストのロック状態と非ロック状態の間で顕著な係合力の差を付与することができる。缶体１０、Ｕ字部４５ｐ、４５ｑ、板バネ４９ｐ、４９ｑが金属製であるため、雌スナップ２１０の強固な係合力を確保できる。
【０１３２】
雌スナップ２１０の組立は、例えば、回転体５０にＵ字部４５ｐ、４５ｑ、板バネ４９ｐ、４９ｑを挿入により嵌合し、これを缶体１０内に配置し、カバー３０で閉じることにより達成可能である。
【０１３３】
＜第１０実施形態＞
図４０乃至図４２を参照して第１０実施形態について説明する。図４０は、雌スナップの概略的な水平断面図である。図４１は、雌スナップのリング体の概略的な上面図及び断面図であり、図４１の紙面上部に上面図を示し、図４２の紙面下部に同図に示した上面図のＸ４１−Ｘ４１に沿う断面図を示す。図４２は、雌スナップの概略的な水平断面図であり、同図（ａ）において非ロック状態を示し、同図（ｂ）においてロック状態を示す。本実施形態においては、第９実施形態とは異なり、回転体５０に対して板バネ４９を係合しない代わりに、リング体４０に対して板バネ４９を連行するための連行構造を設ける。このような場合であっても上述の実施形態と同様の効果を得ることができる。
【０１３４】
図４０乃至図４２に示すように、板バネ４９ｐの初期形状がＣ字状であり、板バネ４９ｐの両端が押し広げられた態様にてＵ字部４５ｐと缶体１０の間に配置される。この場合、板バネ４９ｐには板バネ４９ｐの両端間の間隔を狭くするバネ力が付与されており、これに応じてＵ字部４５ｐが半径方向内側へ付勢される。板バネ４９ｑ、Ｕ字部４５ｑについても同様の説明が当てはまる。
【０１３５】
図４０及び図４１に示すように、Ｕ字部４５ｐの両端には第９実施形態で示したような凸及び凹状嵌合部が設けられていなく、Ｕ字４５ｐの両端の各端面が平坦に構成される。Ｕ字部４５ｑも同様に構成される。缶体１０内においては板バネ４９ｐ、４９ｑによる半径方向内側への付勢によりＵ字部４５ｐ、４５ｑ同士が隣り合う状態が維持されるため、Ｕ字部４５ｐ、４５ｑ同士を嵌合等により連結することは必須ではない。
【０１３６】
図４１に示すように、Ｕ字部４５ｐ、４５ｑの各端部には、各端部の外周側面上から半径方向外側へ膨出して凹状の窪み４５ｐ７を形成する膨出部４５ｐ６が設けられ、これにより、Ｕ字部４５ｐ、４５ｑの回転力を板バネ４９ｐ、４９ｑに伝達することができ、Ｕ字部４５ｐ、４５ｑの周方向変位に応じて板バネ４９ｐ、４９ｑを周方向に変位させることができる。Ｕ字部４５の一端及び他端側に設けられる一組の膨出部４５ｐ６により、リング体４０の回動に応じて板バネ４９を連行するための連行構造が構成される。
【０１３７】
図４２（ａ）は、Ｕ字部４５ｐとＵ字部４５ｑの配置間隔が拡大可能な非ロック状態において、不図示の雄スナップ２２０のポスト１０５によりＵ字部４５ｐとＵ字部４５ｑの配置間隔が拡大した状態を示す。図４２（ｂ）は、図４２（ａ）に示した位置から９０°リング体４０が時計回りに回動され、Ｕ字部４５ｐとＵ字部４５ｑの配置間隔が拡大不能なロック状態を示す。
【０１３８】
図４２（ａ）及び図４２（ｂ）の対比から明らかなように、リング体４０が時計回りに回動すると、Ｕ字部４５ｐの変位に同調して板バネ４９ｐも変位する。Ｕ字部４５ｑ、板バネ４９ｑについても同様である。図４２（ｂ）に示すとき、缶体１０の一組の押圧部１０ｍの間において板バネ４９ｐ、Ｕ字部４５ｐ、Ｕ字部４５ｑ、及び板バネ４９ｑが一組の押圧部１０ｍにより挟まれ、Ｕ字部４５ｐとＵ字部４５ｑの配置間隔の拡大や、リング体４０の開口Ｐ４０の拡大が全く又は殆ど許容されない状態になる。
【０１３９】
雌スナップ２１０の組立は、例えば、回転体５０にＵ字部４５ｐ、４５ｑを挿入により嵌合し、これを缶体１０内に配置し、板バネ４９を缶体１０内に任意の手順及び任意の態様で配置し、カバー３０で閉じることにより達成可能である。
【０１４０】
＜第１１実施形態＞
図４３及び図４４を参照して第１１実施形態について説明する。図４３は、雌スナップの概略的な水平断面図であり、（ａ）においてＵ字部の合体状態を模式的に示し、（ｂ）においてＵ字部の分離状態を模式的に示す。図４４は、雌スナップの概略的な水平断面図であり、ロック状態の雌スナップを示す。本実施形態においては、第９及び第１０実施形態とは異なり、回転体５０／リング体４０の回動に関わらず、板バネ４９ｐ、４９ｑが変位しない。このような場合であっても、上述の実施形態と同様の効果を得ることができる。
【０１４１】
図４３及び図４４の対比から分かるように、リング体４０が回動してもリング体４０と缶体１０の間の板バネ４９の位置は不変である。第９実施形態においては板バネ４９を回転体５０に係合させ、第１０実施形態においてはリング体４０に板バネ４９を連行するための構造を持たせたが、本実施形態においては、板バネ４９は、Ｕ字部４５と缶体１０と間に挟まれているだけであり、板バネ４９ｐの構成の簡素化や雌スナップ２１０の組立の簡素化を図ることができる。図４３及び図４５に示すように、板バネ４９は、周方向において１８０度間隔で設けられる２つの突出部１０ｍ１、１０ｍ２の間に位置しており、板バネ４９が周方向へ移動することを防止する。
【０１４２】
図４３（ａ）及び図４３（ｂ）に示す非ロック状態においては、雌スナップ２１０の缶体１０内において各Ｕ字部４５ｐ、４５ｑが半径方向外側へ変位可能であり、Ｕ字部４５ｐ、４５ｑの配置間隔が拡大可能、かつリング体４０の開口Ｐ４０が拡大可能である。図４４に示すロック状態においては、缶体１０の一組の押圧部１０ｍの間においてＵ字部４５ｐとＵ字部４５ｑが一組の押圧部１０ｍにより挟まれて、Ｕ字部４５ｐとＵ字部４５ｑの配置間隔の拡大、及びリング体４０の開口Ｐ４０の拡大が全く若しくは殆ど許容されない状態になる。図４４に示すとき、押圧部１０ｍ１がＵ字部４５ｑの両端間の中央部の外側面を押圧し、同中央部が被押圧部４０ｍ１となる。押圧部１０ｍ２がＵ字部４５ｐの両端間の中央部の外側面を押圧し、同中央部が被押圧部４０ｍ２となる。
【０１４３】
＜第１２実施形態＞
図４５を参照して第１２実施形態について説明する。図１２は、雌スナップに含まれるリング体の概略的な水平断面図であり、各Ｕ字部に対して板バネが一体的に設けられた場合を示す。本実施形態では、第９乃至第１１実施形態とは異なり、Ｕ字部４５ｐ、４５ｑに対して板バネ４９ｐ、４９ｑが一体的に設けられている。このような場合であっても第９乃至第１１実施形態と同様の効果を得ることができる。Ｕ字部と板バネの一体性は、例えば、Ｕ字部を樹脂製とし、板バネを金属製とし、両者をインサート成形にて一体成形することにより達成可能であるが、これに限られるべきものではない。
【０１４４】
図４５に示すように缶体１０内にＵ字部４５ｐと板バネ４９ｐの一体品と、Ｕ字部４５ｐと板バネ４９ｐの一体品が横並びに配置される。板バネ４９ｐ、４９ｑには、第９実施形態と同様に弧状に反った状態から平板状に復帰するバネ力が付与されており、これにより、各一体品が半径方向内側へ付勢される。
【０１４５】
Ｕ字部４５ｐの一端の凸部４５ｐ９とＵ字部４５ｑの他端の凸部４５ｑ９が半径方向の外側と内側に隣り合い、Ｕ字部４５ｐの他端の凸部４５ｐ９’とＵ字部４５ｑの一端の凸部４５ｑ９’が半径方向の内側と外側に隣り合う。このような態様でのＵ字部４５ｐとＵ字部４５ｑ間の嵌合により両部材が缶体１０内において位置規制される。図２９乃至図４５に示す実施形態は、一組のＵ字部４５ｐ、４５ｑを備え、そのＵ字部４５ｐ、４５ｑにより囲まれる開口Ｐ４０が形成されているが、３つ以上に分割されたＵ字部であってもよい。
【０１４６】
上述の教示を踏まえると、当業者をすれば、各実施形態に対して様々な変更を加えることができる。雄スナップ及び雌スナップの具体的構成は任意である。リング体、リング回転体等の具体的な構成及び材料は任意である。押圧部／被押圧部を回転部材／固定部材のいずれに設けるかは任意である。リング体の分割により生じるＵ字部を付勢する具体的な態様は任意であり、また、付勢源は板バネに限定されるべきものではない。請求の範囲に盛り込まれた符号は、参考のためであり、請求の範囲を限定解釈する目的で参照されるべきものではない。
【符号の説明】
【０１４７】
ＡＸ      ：軸
２００    ：スナップボタン
２１０    ：雌スナップ
２２０    ：雄スナップ
２３０    ：生地
１０５    ：ポスト
Ｐ２１０  ：受入部
Ｐ７０    ：受入部
１０      ：缶体
２０      ：取付体
３０      ：カバー
４０      ：リング体
４０ｍ    ：被押圧部
５０      ：回転体
５７      ：押圧片
６０      ：下部取付保持枠
６０ｍ    ：押圧部
６５      ：上部取付保持枠
７０      ：リング回転体
７０ｍ    ：被押圧部
８０      ：把持部
９１      ：保持枠
９１ｍ    ：押圧部
９２      ：取付部材
９３      ：取付板
９４      ：化粧板
９５      ：マーク
１１０    ：板状部材
１２０    ：板状部材
１３０    ：取付体
１４０    ：ポスト体
【図１】
0005859107.tif 000002
【図２】
0005859107.tif 000003
【図３】
0005859107.tif 000004
【図４】
0005859107.tif 000005
【図５】
0005859107.tif 000006
【図６】
0005859107.tif 000007
【図７】
0005859107.tif 000008
【図８】
0005859107.tif 000009
【図９】
0005859107.tif 000010
【図１０】
0005859107.tif 000011
【図１１】
0005859107.tif 000012
【図１２】
0005859107.tif 000013
【図１３】
0005859107.tif 000014
【図１４】
0005859107.tif 000015
【図１５】
0005859107.tif 000016
【図１６】
0005859107.tif 000017
【図１７】
0005859107.tif 000018
【図１８】
0005859107.tif 000019
【図１９】
0005859107.tif 000020
【図２０】
0005859107.tif 000021
【図２１】
0005859107.tif 000022
【図２２】
0005859107.tif 000023
【図２３】
0005859107.tif 000024
【図２４】
0005859107.tif 000025
【図２５】
0005859107.tif 000026
【図２６】
0005859107.tif 000027
【図２７】
0005859107.tif 000028
【図２８】
0005859107.tif 000029
【図２９】
0005859107.tif 000030
【図３０】
0005859107.tif 000031
【図３１】
0005859107.tif 000032
【図３２】
0005859107.tif 000033
【図３３】
0005859107.tif 000034
【図３４】
0005859107.tif 000035
【図３５】
0005859107.tif 000036
【図３６】
0005859107.tif 000037
【図３７】
0005859107.tif 000038
【図３８】
0005859107.tif 000039
【図３９】
0005859107.tif 000040
【図４０】
0005859107.tif 000041
【図４１】
0005859107.tif 000042
【図４２】
0005859107.tif 000043
【図４３】
0005859107.tif 000044
【図４４】
0005859107.tif 000045
【図４５】
0005859107.tif 000046